(57)【要約】【要約書】  本発明は、光線治療器を、スマート通信機器及び情報提供サーバと連動させて、光線治療を行うようになり、使用者がスマート通信機器で所定の疾病による光製造臨床コードを購入すると、情報提供サーバは、光線の波長、光線の強さ、光線の照射時間、光線の照射パターンを含む所定の疾病の光製造臨床コードを生成してスマート通信機器に伝送し、スマート通信機器は、受信された光製造臨床コードを、光線治療器に伝送したり、光製造臨床コードにしたがって光線治療器制御信号を生成して光線治療器に伝送して、光線治療器を駆動するようにして、様々な疾病や症状によってオーダーメード型治療をすることができる、スマート通信機器基盤の光線治療サービス提供システム及び方法に関し、情報提供サーバから光製造臨床コードを受信して光線治療器に伝送するスマート通信機器、情報提供サーバ、及び光線治療器を含む。【選択図】図３
2019520091.tif 000002
【特許請求の範囲】
【請求項１】
スマート通信機器と、情報提供サーバと、光線治療器と、を備え、
前記スマート通信機器が、光線の波長、光線の強さ、光線の照射時間、光線の照射パターンを含む光製造臨床コード(lightceutical clinical code)を購入するための購入画面が出力され、金融決済サーバと連動して前記光製造臨床コードの購入に対する決済が完了すれば、情報提供サーバから前記光製造臨床コードを受信して前記光線治療器に伝送したり、前記光製造臨床コードにしたがって光線治療器制御信号を生成して前記光線治療器に伝送し、
前記情報提供サーバが、前記スマート通信機器が前記金融決済サーバと連動して前記光製造臨床コードの決済が完了すれば、前記光製造臨床コードを情報提供サーバＤＢ(データベース)から読み込んで前記スマート通信機器に伝送し、
前記光線治療器が、光源を含んでなり、前記スマート通信機器から受信された前記光製造臨床コードまたは前記光線治療器制御信号によって駆動されて、光線照射電極を通じて光線を照射する
ことを特徴とするスマート通信機器基盤の光線治療サービス提供システム。
【請求項２】
前記光製造臨床コードは使用可能回数が制限されており、前記光製造臨床コードの使用可能回数は前記情報提供サーバＤＢに保存され、前記光線治療器が駆動される回数によって、前記光製造臨床コードの使用可能回数が減るようになることを特徴とする請求項１に記載の光線治療サービス提供システム。
【請求項３】
前記光製造臨床コードは、疾病または症状によって互いに異なることを特徴とする請求項２に記載の光線治療サービス提供システム。
【請求項４】
前記スマート通信機器は、前記光線治療器が駆動される前に、治療しようとする疾病名を選択するようになる疾病選択画面を表示し、前記病気選択画面で選択された疾病名の前記光製造臨床コードが既に購入されていないと、前記疾病名の前記光製造臨床コードが購入されていないことを通知するとともに、購入可否を問うポップアップウィンドウが表示され、前記ポップアップウィンドウで購入決定を示すスイッチが選択されば、前記購入画面が出力されるようになることを特徴とする請求項３に記載の光線治療サービス提供システム。
【請求項５】
前記光製造臨床コードの使用可能回数は、前記スマート通信機器に表示されるようになることを特徴とする請求項３に記載の光線治療サービス提供システム。
【請求項６】
前記光製造臨床コードの使用可能回数が全部消尽された場合に、前記スマート通信機器は、前記光製造臨床コードの使用可能回数が消尽されたことを通知するとともに、購入可否を問うポップアップウィンドウが表示され、前記ポップアップウィンドウで購入を示すスイッチが選択されたら、前記購入画面が出力されて、前記光製造臨床コードの使用可能回数の追加購入のための決済ができるようになることを特徴とする請求項５に記載の光線治療サービス提供システム。
【請求項７】
前記スマート通信機器は、前記光線治療器の駆動が開始される前に、所定の疾病の薬服用量に関するアンケート項目を含む自己診断画面を表示し、自己診断画面で使用者によって入力された自己診断アンケートの回答を前記情報提供サーバに伝送し、前記情報提供サーバは自己診断アンケートの回答を前記情報提供サーバＤＢに保存するようになることを特徴とする請求項３に記載の光線治療サービス提供システム。
【請求項８】
前記スマート通信機器は、前記光線治療器の駆動が終了されると、痛み程度に対するアンケート項目を含む治療結果の入力画面を表示し、治療結果の入力画面で使用者によって入力された治療結果アンケートの回答を前記情報提供サーバに伝送し、前記情報提供サーバは、治療結果アンケートの回答を前記情報提供サーバＤＢに保存するようになることを特徴とする請求項７に記載の光線治療サービス提供システム。
【請求項９】
前記光線治療器の光源は３色のＬＥＤまたはＯＬＥＤ又はＱＬＥＤ又はＡＭＯＬＥＤのうち、一つであることを特徴とする請求項１に記載の光線治療サービス提供システム。
【請求項１０】
前記スマート通信機器は、治療画面で前記光線治療器を駆動させ、使用者によって、選択的に変更された、前記光製造臨床コードを受信すると、変更された前記光製造臨床コードを前記光線治療器に伝送したり、変更された前記光製造臨床コードにしたがって前記光線治療器制御信号を生成して前記光線治療器に伝送するようになることを特徴とする請求項３に記載の光線治療サービス提供システム。
【請求項１１】
前記光線治療器は、前記光線治療器の機器番号を前記スマート通信機器を通じて前記情報提供サーバに登録されたことを特徴とする請求項１に記載の光線治療サービス提供システム。
【請求項１２】
前記光線治療器の登録時に、前記スマート通信機器を通じて入力された、前記光線治療器の機器番号、暗証番号、使用者の性別、使用者の年齢、使用者の皮膚色を含む登録情報を前記情報提供サーバに伝送し、前記情報提供サーバは前記登録情報を前記情報提供サーバに保存するようになることを特徴とする請求項１０に記載の光線治療サービス提供システム。
【請求項１３】
前記スマート通信機器は、疾病による前記光線照射電極の装着位置を含む前記光線治療器を利用した治療方法に関する情報を、テキストメッセージまたは絵または写真なたは動画で表示することを特徴とする請求項４に記載の光線治療サービス提供システム。
【請求項１４】
前記スマート通信機器は、前記情報提供サーバＤＢに保存された治療結果アンケートの回答または自己診断アンケートの回答を統計処理して、週単位、月単位、年単位で表示するようになることを特徴とする請求項８に記載の光線治療サービス提供システム。
【請求項１５】
前記スマート通信機器は、Ａｎｄｒｏｉｄ、Ａｎｄｒｏｉｄ Ｗｅａｒ、Ａｎｄｒｏｉｄ  Ｏｐｅｎ  Ｓｏｕｒｃｅ  Ｐｒｏｊｅｃｔ、Ａｐｐｌｅ  ｉＯＳ、Ｔｉｚｅｎ、ＭＳ  ｗｉｎｄｏｗ、ＢｌａｃｋＢｅｒｙ、ＦｉｒｅＦｏｘ、ＭｉＵｉ、Ｃｏｌｏｒのうち、１つをＯＳ(operating system)として使用するスマートフォンやスマートウォッチ(腕型スマートフォン)のうちの一つであることを特徴とする請求項１に記載の光線治療サービス提供システム。
【請求項１６】
前記光線治療器は、前記光線照射電極と前記光線治療器制御部を含んでなり、ヘッドギア、パッチ(Patch)、ネックレス、ブレスレット、時計、ベルト、手首バンド、手袋、腹帯、シャツ、パンツのうち、一つに取り付けるようになることを特徴とする請求項１に記載の光線治療サービス提供システム。
【請求項１７】
前記光製造臨床コードは、光線の波長、光線の強さ、光線の照射時間、光線の照射パターンの値を暗号化して、数字形態または数字とテキストメッセージの組合の形態でなることをなることを特徴とする請求項１に記載の光線治療サービス提供システム。
【請求項１８】
前記スマート通信機器は、前記情報提供サーバから受信された光線治療用アプリケーション(App)を設置しており、前記光線治療用アプリケーション(App)はＡｎｄｒｏｉｄ、Ａｎｄｒｏｉｄ  Ｗｅａｒ、Ａｎｄｒｏｉｄ  Ｏｐｅｎ  Ｓｏｕｒｃｅ  Ｐｒｏｊｅｃｔ、Ａｐｐｌｅ  ｉＯＳ、Ｔｉｚｅｎ、ＭＳ  ｗｉｎｄｏｗ、ＢｌａｃｋＢｅｒｙ、ＦｉｒｅＦｏｘ、ＭｉＵｉ、Ｃｏｌｏｒ  ＯＳ(operating system)のうち、いずれか一つを基盤とすることを特徴とする請求項１に記載の光線治療サービス提供システム。
【請求項１９】
前記スマート通信機器と前記情報提供サーバとの間にデータ(data)の伝達方式はｇｅｔ方式またはｐｏｓｔ方式のうち、いずれか一つを使用して、ＡＰＩ方式又はＰｌｕｇ−Ｉｎ方式のうち、いずれか一つで暗号化して伝送することを特徴とする請求項１に記載の光線治療サービス提供システム。
【請求項２０】
前記光線治療用アプリケーション(App)のＵＩ(User Interface)言語は、ＵＮに登録された言語の中の一つとして表示されることを特徴とする請求項１８に記載の光線治療サービス提供システム。
【請求項２１】
前記光線治療用アプリケーション(App)の画面に提示される疾病名は国際疾病分類コードにある疾病名であることを特徴とする請求項１８に記載の光線治療サービス提供システム。
【請求項２２】
前記光線治療器を利用した治療方法に関する情報は、光線照射の１回照射時間、１日光線照射の回収、病気別の平均治療期間及び注意事項をさらに含むことを特徴とする請求項１３に記載の光線治療サービス提供システム。
【請求項２３】
前記自己診断画面及び前記治療結果の入力画面のアンケート項目は、国際的に標準化されたアンケート用紙のアンケート項目に合わせたことを特徴とする請求項８に記載の光線治療サービス提供システム。
【請求項２４】
前記スマート通信機器と前記光線治療器は有線または無線で連結され、前記スマート通信機器と前記光線治療器との間が無線で連結される場合には、Ｚｉｇｂｅｅ、ｂｌｕｅｔｏｏｔｈ、ＮＦＣ、Ｗｉｆｉ、ＲＦの方式のうち、一つを使用して連結し、前記スマート通信機器と前記光線治療器との間が有線で連結される場合には、ＵＳＢ端子またはアイフォーン端子またはＲＳ２３２Ｃ又はＩ２Ｃ又はＳＰＩを使用して連結することを特徴とする請求項１に記載の光線治療サービス提供システム。
【請求項２５】
スマート通信機器で、光線の波長、光線の強さ、光線の照射時間、光線の照射パターンを含む光製造臨床コードを購入するために、金融決済サーバと連動して決済が完了すれば、前記スマート通信機器は、情報提供サーバから、前記光製造臨床コードを受信して、光線治療器に伝送したり、前記光製造臨床コードにしたがって光線治療器制御信号を生成して前記光線治療器に伝送し、前記光線治療器は受信された前記光製造臨床コードまたは前記光線治療器制御信号によって駆動されるようになるスマート通信機器基盤の光線治療サービス提供システムの駆動方法において、
前記スマート通信機器は、
疾病選択画面または症状選択画面で使用者によって選ばれた症状または疾病の前記光製造臨床コードを、使用者が既に購入して有しているかどうかを判断し、そして前記光製造臨床コードの使用可能回数が消尽されたかどうかを判断する、光製造臨床コードの保有可否判断段階と、
前記光製造臨床コードの保有可否判断段階で、前記光製造臨床コードを既に購入しなかったか、前記光製造臨床コードの使用可能回数が消尽していたならば、前記スマート通信機器は、前記光製造臨床コードを既に購入しなかったか、前記光製造臨床コードの使用可能回数が消尽されたことを通知するとともに、購入可否を問うポップアップウィンドウを表示し、前記ポップアップウィンドウで購入決定を示すスイッチが選択されると、購入画面を出力して、前記光製造臨床コードまたは前記光製造臨床コードの使用可能回数の購入に対する決済を、前記金融決済サーバと連動して行う、光製造臨床コード購入段階と、
前記光製造臨床コードの保有可否判断段階で、前記光製造臨床コードを既に購入しており、前記光製造臨床コードの使用可能回数が消尽されていない場合に、または、前記光製造臨床コードの購入段階で、前記光製造臨床コードまたは前記光製造臨床コードの使用可能回数の購入に対する決済が完了した後に、前記情報提供サーバは、情報提供サーバＤＢから前記光製造臨床コードを読み込んで前記スマート通信機器に伝送し、前記スマート通信機器は受信された前記光製造臨床コードを前記光線治療器に伝送したり、前記光製造臨床コードにしたがって前記光線治療器制御信号を生成して前記光線治療器に伝送して、前記光線治療器を駆動するようにする、光線治療器の駆動段階と、
を含んでなることを特徴とするスマート通信機器基盤の光線治療サービス提供システムの駆動方法。
【請求項２６】
前記光製造臨床コード購入段階と、前記光線治療器の駆動段階の間に、前記スマート通信機器は、所定疾病の薬の服用量に対するアンケート項目を含む自己診断画面を表示し、自己診断画面で使用者によって入力された自己診断アンケートの回答を前記情報提供サーバに転送し、前記情報提供サーバは自己診断アンケートの回答を前記情報提供サーバＤＢに保存する、自己診断アンケートの回答保存段階をさらに含んでなることを特徴とする請求項２５に記載の光線治療サービス提供システムの駆動方法。
【請求項２７】
前記光線治療器駆動段階後に、前記スマート通信機器は、痛みの程度に対するアンケート項目を含む、治療結果の入力画面を表示し、治療結果の入力画面で使用者によって入力された治療結果アンケートの回答を前記情報提供サーバに伝送し、前記情報提供サーバは、治療結果アンケートの回答を前記情報提供サーバＤＢに保存する、治療結果アンケートの回答保存段階をさらに含んでなることを特徴とする請求項２６に記載の光線治療サービス提供システムの駆動方法。
【請求項２８】
前記治療結果アンケートの回答後に、前記スマート通信機器は、前記情報提供サーバＤＢに保存された治療結果アンケートの回答または自己診断アンケートの回答を統計処理して、週単位、月単位、年単位で表示する、治療結果の出力段階をさらに含んでなることを特徴とする請求項２７に記載の光線治療サービス提供システムの駆動方法。
【発明の詳細な説明】
【技術分野】
【０００１】
本発明は、光線治療器をスマート通信機器及び情報提供サーバと連動させて光線治療を行うように行われ、使用者がスマート通信機器で所定の疾病による光製造臨床コード(lightceutical clinical code)を購入すると、情報提供サーバは、光線の波長、光線の強さ、光線の照射時間、光線の照射パターンを含む所定の疾病の光製造臨床コードを生成してスマート通信機器に伝送し、スマート通信機器は、受信された光製造臨床コードを、光線治療器に伝送したり、光製造臨床コードにしたがって光線治療器の制御信号を生成して光線治療器に伝送して、光線治療器を駆動するようにして、いつでもどこでも様々な疾病や症状によって便利かつ安全にオーダーメード治療をすることができる、スマート通信機器基盤の光線治療サービス提供システム及び方法に関する。
【背景技術】
【０００２】
スマートフォンを活用したヘルスケア分野で、アイホンやアンドロイドフォンなどを生産するスマートフォン製造会社は、国際的に競争が非常に激化した分野であるスマートフォンやスマートウォッチを利用して、歩数、脈拍、糖尿、血圧、体脂肪、運動量などを測定して健康を診断および管理することに使用される、ヘルスケア製品を発売している。しかし、発売される製品の技術が会社ごとにほとんど似ているため、競争が激しく、結局、優れた製品を除いては価格競争で優位を持つことができる会社が勝利すると予測することができる。また、これら巨大スマートフォン製造社がスマートフォンを利用して病気を診断し健康を管理するヘルスケア製品の以外には、特別にスマートフォンを利用して、いつでもどこでも安全で便利に疾病を治療することができる製品を発売できない現実である。
【０００３】
特に、モバイルヘルスケアアプリケーションは、アプリケーションストアで利用率がますます増加している。モバイルヘルスケアアプリケーションとしては、行動追跡、身体情報のモニタリング、ダイエット及び体重減量管理、運動法の提供、医療/健康情報及びキャンペーンの提供、医療情報アクセス及び予約管理、医療担当者用の管理プログラム、健康統合サービスウェブなどが可能である。しかし、現在、アプリケーションストアに登録されているヘルスケア関連アプリケーションはほとんど行動追跡機能を活用したフィットネス分野に集中されており、特定の病気治療に特化したヘルスケアアプリケーションはほとんどなくした実情である。
【０００４】
低出力の光線治療は、多様な波長帯域の低出力光線エネルギーで人体の特定部位を刺激して、様々な疾病を治療したり、予防したりする方法としてすでに広く知られており、疲労回復や皮膚美容などを目的として、あるいは代替医学及び痛症治療などの分野で多く使用されている。最近は、漢方医学や代替医学分野で光線治療器の光線エネルギーを利用して経絡の気血が身体表面に集まって通過する経穴部位を刺激することによって、該経穴部位と末梢神経系に連結されている特定の身体部位や内部臓器に対する治療、痛みや炎症などの治療(例えば、生理痛治療や火傷治療など)、中風や痴呆の予防及び治療、あるいは健康管理のために行われている。特に、低出力の光線治療の利点は治療機器の構成が簡単、安全であり、治療効能が優秀であり、使用することが便利であって、老若男女がいつでもどこでも疾病治療のために使用できる利点がある。
【０００５】
したがって、上で言及した低出力光線治療の多様な利点と常に携帯するスマート通信機器を利用して老若男女誰でも病院を訪問しなくても、いつでもどこでも自分の疾病や症状を安全かつ便利に改善し治療できるスマート通信機器基盤の低出力光線治療サービス提供システム及び方法が切実に必要すると思われる。
【０００６】
本出願人は、スマートフォンと連動する光線治療器と関連して、多数の特許を既に出願した。
【先行技術文献】
【特許文献】
【０００７】
【特許文献１】韓国登録特許第１０-１１５７４５７号
【特許文献２】韓国登録特許第１０-１３８５７０７号
【特許文献３】韓国登録特許第１０-１４７９５７６号
【特許文献４】韓国公開特許公報第１０-２０１６-００５５０８２号
【特許文献５】韓国公開特許公報第１０-２０１６-００９９３５２号
【０００８】
特許文献１は、有線または無線の電極プローブで構成される人体の平滑筋弛緩装置として、無線制御部で制御が可能になる。ここで、人体の平滑筋弛緩装置は光線治療器であって、コントローラー本体と、前記コントローラー本体と有線または無線で連結され、光を放出する電極プローブを含み、前記電極プローブは発光ダイオード(ＬＥＤ)を含んでなる。特に、この装置の場合、４００ｎｍないし８００ｎｍの波長帯域の光のうち、特定の光を引き続き出力するようになって、結果的に特化された一つを治療するようなる。したがって、使用者が治療部位、痛みなどの状況に沿って、その時に合せた治療を行うことは不可能である。
【０００９】
特許文献２は色光治療機と携帯用スマート通信機器を連動して、可視光線を利用した色光治療をする色光治療システムに関し、これも、特定光を出力するようになって、結果的に特化された一つの部位を治療するようなる。したがって、使用者が、治療部位、痛みなどの状況により、その時に合せた治療を行うことは不可能である。また、色光治療器は携帯用スマート通信機器のＵＳＢ端子または充電端子に連結して電源を受けて駆動するようになっているが、このように単に連結したのでは治療に十分な光を連続的に発生させることができず、したがって、色光治療器の動作はやや不安定である。
【００１０】
特許文献３は、携帯型のスマート通信機器に装備された色光治療駆動装置であって、特許文献２の色光治療システムとほぼ大同小異である。つまり、特許文献３も、使用者が、治療部位、痛みなどの状況によって、その時その時に合せた治療をすることは不可能であり、また、スマート通信機器のイヤホンジャックに色光治療器の電源プラグを連結して、色光治療器がスマート通信機器から電源を受けて駆動するようになっているが、このようにすることには治療に十分な光を連続的に発生させることができないので、色光治療駆動装置の動作はやや不安定となる。
【００１１】
特許文献４は、ＵＳＢ  ＯＴＧ(universal serial bus on-the-go)モジュールと、光線治療用のスマートフォンインタフェース装置に設置されたＭＣＵを利用してスマートフォンと通信を行って、より安定的に光線治療器を制御し駆動できるようにする光線治療用のスマートフォンインタフェース装置に関するものである。この発明の場合も、使用者が、治療部位、痛みなどの状況によって、その時その時に合せた治療をすることは不可能である。
【００１２】
特許文献５は、低出力光線照射機と連結されている携帯用の個人通信端末制御方法に関するものである。この発明は、特許文献４の光線治療用のスマートフォンインタフェース装置と光線照射機(光線治療器)を採用したものであって、この発明も使用者が、治療部位、痛みなどの状況によって、その時その時に合せた治療をすることは不可能である。
【００１３】
したがって、本発明は、情報提供サーバが、スマート通信機器で設定された治療しようとする疾病や症状を受信し、これによる光製造臨床コード(lightceutical clinical code)と低出力光線治療方法に関する情報(例えば、低出力光線治療器の駆動情報、低出力光線治療案内情報など)を生成してスマート通信機器に伝送し、これによって、スマート通信機器は低出力光線治療器を駆動させるスマート通信機器基盤の低出力光線治療サービス提供システム及び方法を提案する。したがって、使用者はどこでもその当時の疾病または症状による光製造臨床コードをスマート機器上で購入すれば、すでに具備された光線治療器で治療することができる。
【００１４】
図１は、低出力光線治療器１００の構成を説明するための図面である。図１は、特許文献４に記載されている。
【００１５】
スマート通信機器２００と連結された低出力光線治療器１００は、ＵＳＢ  ＯＴＧモジュール３０、電圧レギュレータ４０、ＭＣＵ(micro controller unit)５０、光線照射駆動部６０、光線照射電極連結コネクタ７０、ＬＥＤ動作表示灯８０、光線照射電極７１を含んでなる。ここで、ＵＳＢ  ＯＴＧモジュール３０、電圧レギュレータ４０、ＭＣＵ(micro controller unit)５０、光線照射駆動部６０、光線照射電極連結コネクタ７０、ＬＥＤ動作表示灯８０は、光線治療器の制御部１３であって、光線治療器制御部１３は、スマートフォンと連動して光線照射電極７１を駆動させる装置で、特許文献４では、スマートフォンインタフェース装置と記載されている。
【００１６】
ＵＳＢ  ＯＴＧモジュール３０は、スマート通信機器２００をホストとして、スマート通信機器２００と低出力の光線治療器１００に設置されたＭＣＵ５０との間に通信を可能であるようにする手段である。ＭＣＵ５０と連結されたＵＳＢ  ＯＴＧモジュール３０をスマートフォン用連結コネクタと連結し、スマート通信機器２００をホストとして、スマート通信機器２００と光線治療器１００に設置されたＭＣＵ５０との間に通信を可能にしている。
【００１７】
電圧レギュレータ４０は、スマート通信機器２００から出力される電圧を、ＭＣＵ５０の動作電圧に合うように変換させる手段である。
【００１８】
ＭＣＵ５０は、光線治療器１００を全般的に制御する手段であって、ＵＳＢ  ＯＴＧモジュール３０を通じて受信したスマート通信機器２００の制御命令を解釈して光線照射の強さ、光線照射の時間、光線照射のパターン、光線照射の開始と終了などを制御する。つまり、ＭＣＵ５０は、スマート通信機器２００の制御命令を解釈して光源制御信号を生成して光線照射駆動部６０に伝送する。
【００１９】
光線照射駆動部６０は、ＭＣＵ５０から受信された光源制御信号によって光源を駆動させる。光線照射駆動部６０は、光源を駆動させるために必要な電圧や電流増幅回路を含む。
【００２０】
ＬＥＤ動作表示灯８０は、光線照射動作状態を表示する灯であって、すなわち、光線照射電極が駆動されていることを示すＬＥＤなどである。
【００２１】
光線照射電極連結コネクタ７０は、光線照射電極を連結するコネクタであって、この手段を通じて、光線治療用スマートフォンインタフェース装置１００と光線照射電極が連結される。ここで、光線照射電極としては、様々な形態の光線照射電極が適用されることができる。
【００２２】
スマート通信機器２００は、光線照射電極の光線照射の強さ、光線照射の時間、光線照射のパターン、光線照射の開始と終了などを制御する応用プログラム(App.)が設置されている。
【００２３】
図２は、特許文献４の光線照射電極部と連結された低出力の光線治療器１００を示す。
【００２４】
光線治療器１００は、スマートフォン用連結コネクタ１１、連結ケーブル１２、光線治療器制御部１３、ＬＥＤ動作表示灯８０、光線照射電極連結コネクタ７０などを含む。
【００２５】
光線治療器制御部１３は、ＵＳＢ  ＯＴＧモジュール３０、電圧レギュレータ４０、ＭＣＵ５０、光線照射駆動部６０を内蔵し、一側に光線照射電極連結コネクタ７０を具備し、他の一側にスマートフォン用連結コネクタ１１と連結される連結ケーブル１２が連結されている。光線治療器制御部１３の上面にはＬＥＤ動作表示灯８０などが位置される。スマートフォン用連結コネクタ１１と光線照射電極連結コネクタ７０は、オーディオ端子、マイクロＵＳＢ、または、光線治療用スマートフォンインタフェースの専用で多様に制作して使用することができる。図５では、スマート通信機器２００と光線治療器１００との間に有線で行われが、場合によっては、これは無線に連結されることができる。
【発明の概要】
【発明が解決しようとする課題】
【００２６】
本発明が解決しようとする課題は、光線治療器を、スマート通信機器及び情報提供サーバと連動させて、光線治療をするようになり、使用者がスマート通信機器で所定の疾病による光製造臨床コードを購入すると、情報提供サーバは、光線の波長、光線の強さ、光線の照射時間、光線の照射パターンを含む所定の疾病の光製造臨床コードを生成して、スマート通信機器に伝送し、スマート通信機器は、受信された光製造臨床コードを光線治療器に伝送したり、光製造臨床コードにしたがって光線治療器制御信号を生成して光線治療器に伝送して、光線治療器を駆動するようにして、いつでもどこでも様々な疾病や症状によって便利かつ安全にオーダーメード治療をすることができる、スマート通信機器基盤の光線治療サービス提供システム及び方法を提供するものである。
【００２７】
本発明が解決しようとする他の課題は、前記スマート通信機器は、ＵＩ(User Interface)画面で、光線治療器を登録し、使用者情報を入力する機能と、ＵＩで複数の疾病名や症状を提示し、使用者が治療しようとする疾病名や症状を選択するようにする機能と、選択された疾病名や症状に対する低出力光線治療の方法に関する情報を使用者にテキストメッセージや絵または写真または動画で提供する機能と、使用者が自分が治療しようとする疾病や症状の光製造臨床コード(lightceutical clinical code)をスマート通信機器で購入できる機能と、使用者が必要に応じて光製薬臨床コードを変更することができる機能と、低出力光線治療を実行する機能とを具備するスマート通信機器基盤の光線治療サービス提供システム及び方法を提供するものである。
【００２８】
本発明が解決しようとする他の課題は、前記スマート通信機器は、ＵＩ画面で、使用者が治療前に自分の疾病や症状の状態を入力して保存する機能と、使用者が光線治療後に自分の疾病や症状の状態を入力し保存する機能と、使用者が光線治療前後の自分の疾病や症状の状態をグラフや数値で週単位、月単位、年単位で確認できる機能と、使用者が入力した資料が有線・無線情報通信網を利用して、前記情報提供サーバへ伝送されて、情報提供サーバの顧客情報ＤＢに保存されるようにする機能を有するスマート通信機器基盤の光線治療サービス提供システム及び方法を提供するものである。
【課題を解決するための手段】
【００２９】
前記課題を解決するために、本発明のスマート通信機器基盤の光線治療サービス提供システムは、スマート通信機器と、情報提供サーバと、光線治療器とを含んでなり、スマート通信機器が、光線の波長、光線の強さ、光線の照射時間、光線の照射パターンを含む光製造臨床コード(lightceutical clinical code)を購入するための、購入画面が出力され、金融決済サーバと連動して光製造臨床コードの購入に対する決済が完了すれば、情報提供サーバから光製造臨床コードを受信して光線治療器に伝送したり、光製造臨床コードにしたがって光線治療器制御信号を生成して光線治療器に伝送し、情報提供サーバが、スマート通信機器が金融決済サーバと連動して光製造臨床コードの決済が完了すれば、光製造臨床コードを情報提供サーバＤＢ(データベース)から読み込んでスマート通信機器に伝送し、光線療法機器が、光源を含んでなり、スマート通信機器から受信された光製造臨床コードまたは光線治療器制御信号によって駆動されて光線照射電極を通じて光線を照射することを特徴とする。
【００３０】
光製造臨床コードは使用可能回数が制限されており、光製造臨床コードの使用可能回数は情報提供サーバＤＢに保存されるが、光線治療器が駆動される回数にしたがって、光製造臨床コードの使用可能回数が減るようになる。
【００３１】
光製造臨床コードは疾病または症状にしたがって互いに異なる。
【００３２】
スマート通信機器は、光線治療器が駆動する前に、治療しようとする疾病名を選択するようになる疾病選択画面をディスプレーし、病気選択画面で選択された疾病名の光製造臨床コードが既に購入されていないと、前記疾病名の光製造臨床コードが購入されていないことを通知するとともに、購入可否を問うポップアップウィンドウがディスプレイされ、前記ポップアップウィンドウで購入決定を示すスイッチが選択されると、購入画面が出力されるようになる。
【００３３】
光製造臨床コードの使用可能回数はスマート通信機器にディスプレーされるようになる。
【００３４】
光製造臨床コードの使用可能回数が全部消尽された場合に、スマート通信機器は、光製造臨床コードの使用可能回数が消尽されたことを通知するとともに、購入可否を問うポップアップウィンドウがディスプレイされ、前記ポップアップウィンドウで購入を示すスイッチが選択されると、購入画面が出力されて、光製造臨床コードの使用可能回数の追加購入のための決済ができるようになる。
【００３５】
スマート通信機器は、光線治療器の駆動が開始する前に、所定疾病の薬の服用量に対するアンケート項目を含む自己診断画面をディスプレイし、自己診断画面で使用者によって入力された自己診断アンケートの回答を情報提供サーバに伝送し、情報提供サーバは自己診断アンケートの回答を情報提供サーバＤＢに保存するようになる。
【００３６】
スマート通信機器は、光線治療器の駆動が終了すると、痛みの程度に対するアンケート項目を含む治療結果の入力画面をディスプレイし、治療結果の入力画面で使用者によって入力された治療結果アンケートの回答を情報提供サーバに伝送し、情報提供サーバは、治療結果アンケートの回答を情報提供サーバＤＢに保存するようになる。
【００３７】
光線治療器の光源は３色のＬＥＤまたはＯＬＥＤまたはＱＬＥＤまたはＡＭＯＬＥＤのうち、一つである。
【００３８】
スマート通信機器は、治療画面で光線治療器を駆動させるが、使用者によって、選択的に変更された、光製造臨床コードを受信すると、変更された光製造臨床コードを、光線治療器に伝送したり、変更された光製造臨床コードにしたがって光線治療器制御信号を生成して光線治療器に伝送するようになる行われる。
【００３９】
光線治療器は、光線治療器の機器番号をスマート通信機器を通じて情報提供サーバに登録される。
【００４０】
光線治療器の登録時に、スマート通信機器を通じて入力された、光線治療器の機器番号、暗証番号、使用者の性別、使用者の年齢、使用者の皮膚色を含む登録情報を情報提供サーバに伝送されて、情報提供サーバは登録情報を情報提供サーバに保存するようになる。
【００４１】
スマート通信機器は、疾病による光線照射電極の装着位置を含む光線治療器を利用した治療方法に関する情報を、テキストメッセージまたは絵または写真または動画でディスプレイする。
【００４２】
スマート通信機器は、情報提供サーバＤＢに保存された治療結果アンケートの回答または自己診断アンケートの回答を統計処理して、週単位、月単位、年単位でディスプレイするようになる。
【００４３】
スマート通信機器は、Ａｎｄｒｏｉｄ、ＡＮＤｒｏｉｄ  Ｗｅａｒ、ＡＮＤｒｏｉｄ  Ｏｐｅｎ  Ｓｏｕｒｃｅ  Ｐｒｏｊｅｃｔ、Ａｐｐｌｅ  ｉＯＳ、Ｔｉｚｅｎ、ＭＳ  ｗｉｎｄｏｗ、ＢｌａｃｋＢｅｒｙ、ＦｉｒｅＦｏｘ、ＭｉＵｉ、Ｃｏｌｏｒのうち、一つをＯＳ(operating ＳyＳtem)として使用するスマートフォンやスマートウォッチ(腕型スマートフォン)のうち、いずれか一つである。
【００４４】
光線治療器は、光線照射電極と光線治療器制御部を含んでなり、ヘッドギア、パッチ(Patch)、ネックレス、ブレスレット、時計、ベルト、手首バンド、手袋、腹帯、シャツ、パンツのうち、一つに取り付けるようになる。
【００４５】
光製造臨床コードは、光線の波長、光線の強さ、光線の照射時間、光線の照射パターンの値を暗号化して、数字形態または数字とテキストメッセージの組合の形態でなる。
【００４６】
スマート通信機器は、情報提供サーバから受信された光線治療用アプリケーション(App)を設置しており、光線治療用アプリケーション(App)は、Ａｎｄｒｏｉｄ、Ａｎｄｒｏｉｄ  Ｗｅａｒ、Ａｎｄｒｏｉｄ  Ｏｐｅｎ Ｓｏｕｒｃｅ  Ｐｒｏｊｅｃｔ、Ａｐｐｌｅ  ｉＯＳ、Ｔｉｚｅｎ、ＭＳ  ｗｉｎｄｏｗ、ＢｌａｃｋＢｅｒｙ、ＦｉｒｅＦｏｘ、ＭｉＵｉ、Ｃｏｌｏｒ  OＳ(operating ＳyＳtem)のうち、いずれか一つを基盤とする。
【００４７】
スマート通信機器と情報提供サーバとの間にデータ(dataの伝達方式は、get方式またはpost方式のうち、いずれか一つを使用して、ＡＰＩ方式またはＰｌｕｇ−Ｉｎ方式のうち、いずれか一つで暗号化して伝送する。
【００４８】
光線治療用アプリケーション(App)のＵＩ(User Interface)言語は、ＵＮに登録された言語のうち、一つで表示される。
【００４９】
光線治療用アプリケーション(App)の画面に提示される疾病名は、国際疾病分類コードにある疾病名である。
【００５０】
光線治療器を利用した治療方法に関する情報は、光線照射の１回照射時間、１日光線照射の回収、病気別の平均治療期間及び注意事項をさらに含む。
【００５１】
自己診断画面及び治療結果の入力画面のアンケート項目は、国際的に標準化されたアンケート用紙のアンケート項目に従う。
【００５２】
スマート通信機器と光線治療器は、有線または無線で連結され、スマート通信機器と光線治療器との間が無線で連結される場合には、Ｚｉｇｂｅｅ、ｂｌｕｅｔｏｏｔｈ、ＮＦＣ、Ｗｉｆｉ、ＲＦの方式のうちの一つを使用して連結し、スマート通信機器と光線治療器との間が有線で連結される場合には、ＵＳＢ端子またはアイフォーン端子またはＲＳ２３２Ｃ又はＩ２Ｃ又はＳＰＩを使用して連結する。
【００５３】
また、本発明は、スマート通信機器で、光線の波長、光線の強さ、光線の照射時間、光線の照射パターンを含む光製造臨床コードを購入するために、金融決済サーバと連動して決済が完了すると、スマート通信機器は、情報提供サーバから、光製造臨床コードを受信して光線治療器に伝送したり、光製造臨床コードにしたがって光線治療器制御信号を生成して光線治療器に伝送し、光線治療器は受信された光製造臨床コードまたは光線治療器制御信号によって駆動されるようになるスマート通信機器基盤の光線治療サービス提供システムの駆動方法において、スマート通信機器は、疾病選択画面または症状選択画面で使用者によって選ばれた症状または疾病の光製造臨床コードを、使用者が既に購入して持っているかどうかを判断し、そして前記光製造臨床コードの使用可能回数が消尽されたかどうかを判断する、光製造臨床コード保有可否判断段階、光製造臨床コード保有可否判断段階で、前記光製造臨床コードを既に購入しなかったか、前記光製造臨床コードの使用可能回数が消尽していたならば、スマート通信機器は、前記光製造臨床コードを既に購入しなかったか、前記光製造臨床コードの使用可能回数が消尽されたことを通知するとともに、購入可否を問うポップアップウィンドウをディスプレイし、前記ポップアップウィンドウで、購入決定を示すスイッチが選択されると、購入画面を出力して、前記光製造臨床コードまたは前記光製造臨床コードの使用可能回数の購入に対する決済を、金融決済サーバと連動して行う、光製造臨床コード購入段階、光製造臨床コード保有可否判断段階で、前記光製造臨床コードを既に購入しており、前記光製造臨床コードの使用可能回数が消尽されていない場合に、または、光製造臨床コード購入段階で、前記光製造臨床コードまたは前記光製造臨床コードの使用可能回数の購入に対する決済が完了した後に、情報提供サーバは、情報提供サーバＤＢから前記光製造臨床コードを読み込んでスマート通信機器に伝送し、スマート通信機器は受信された前記光製造臨床コードを光線治療器に伝送したり、前記光製造臨床コードにしたがって光線治療器制御信号を生成して光線治療器に伝送して、光線治療器を駆動するようにする、光線治療器駆動段階、を含んでなることを特徴とする。
【００５４】
光製造臨床コード購入段階と、光線治療器駆動段階の間に、スマート通信機器は、所定疾病の薬の服用量に対するアンケート項目を含む自己診断画面をディスプレイし、自己診断画面で使用者によって入力された自己診断アンケートの回答を情報提供サーバに伝送し、情報提供サーバは自己診断アンケートの回答を情報提供サーバＤＢに保存する、自己診断アンケートの回答保存段階をさらに含んでなる。
【００５５】
光線治療器駆動段階後に、スマート通信機器は、痛みの程度に対するアンケート項目を含む治療結果の入力画面をディスプレイし、治療結果の入力画面で使用者によって入力された治療結果アンケートの回答を情報提供サーバに伝送し、情報提供サーバは、治療結果アンケートの回答を情報提供サーバＤＢに保存する、治療結果アンケートの回答保存段階をさらに含んでなる。
【００５６】
治療結果アンケートの回答後に、スマート通信機器は、情報提供サーバＤＢに保存された治療結果アンケートの回答または自己診断アンケートの回答を統計処理して、週単位、月単位、年単位でディスプレイする、治療結果の出力段階をさらに含んでなる。
【発明の効果】
【００５７】
本発明のスマート通信機器基盤の光線治療サービス提供システム及び方法によると、光線治療器を、スマート通信機器及び情報提供サーバと連動させて、光線治療を行うようになり、使用者がスマート通信機器で所定の疾病による光製造臨床コードを購入すると、情報提供サーバは、光線の波長、光線の強さ、光線の照射時間、光線の照射パターンを含む所定の疾病の光製造臨床コードを生成してスマート通信機器に伝送し、スマート通信機器は、受信された光製造臨床コードを光線治療器に伝送したり、光製造臨床コードにしたがって光線治療器制御信号を生成して光線治療器に伝送して、光線治療器を駆動するようにして、いつでもどこでも多様な使用者の疾病や症状によって便利かつ安全にオーダーメード型治療をすることができる。
【００５８】
また、本発明で、前記スマート通信機器は、ＵＩ(User Interface)画面で、光線治療器を登録し、使用者情報を入力する機能と、ＵＩで複数個の疾病名や症状を提示し使用者が治療しようとする疾病名や症状を選択するようにする機能と、選択された疾病名や症状に対する低出力光線治療の方法についての情報を使用者にテキストメッセージや絵または写真なたは動画で提供する機能と、使用者が治療前に自分の疾病や症状の状態を入力し保存する機能と、使用者が必要によって光製薬臨床コードを変更できる機能と、低出力光線治療を実行する機能を具備する。
【００５９】
また、前記スマート通信機器は、ＵＩ画面で、使用者が光線治療後、自分の疾病や症状の状態を入力し保存する機能と、使用者が光線治療前後の自分の疾病や症状の状態をグラフや数値で週単位、月単位、年単位で確認できる機能と、使用者が自分が治療しようとする疾病や症状の光製造臨床コード(lightceutical clinical code)をスマート通信機器で購入することができる機能と、使用者が入力した資料が有線・無線情報通信網を利用して、前記情報提供サーバへ伝送されて情報提供サーバの顧客情報ＤＢに保存されるようにする機能を有する。
【００６０】
本発明は、スマート通信機器と低出力光線治療器を有線または無線で連結して、いつどこでも自分の疾病を安全かつ便利にオーダーメード型治療ができる。
【００６１】
現在、スマート通信機器を利用して病気を診断したり測定したりする機器はたくさん発売されているが、本発明のように自分の疾病を安全かつ便利に治療することができるスマート通信機器基盤の低出力光線治療サービス提供システムはない。すなわち、本発明は、治療後に病気や症状の状態を週、月、年単位で確認して、使用者自身の治療効果を確認することができ、様々な疾病や症状によって、必要時にそれに合う光製造臨床コードをスマートフォンで購入して使用するようになって、使用者は多様な光線治療器を具備する必要はなく、必要に応じて光製造臨床コードを購入して、オーダーメード光線治療をすることができる。また、疾病による光線治療器を使用して行う光線治療方法についての説明をみながら治療を行うことができる。
【００６２】
したがって、本発明は、スマート通信機器基盤の治療器の市場を新たに創出することができる。
【図面の簡単な説明】
【００６３】
【図１】低出力光線治療器の構成を説明するための図面である。
【図２】低出力光線治療器の一例を示す。
【図３】本発明によるスマート通信機器基盤の光線治療サービス提供システムを概略的に説明する模式図である。
【図４】本発明によるスマート通信機器基盤の光線治療サービス提供システムを適用した多様な実施例を説明するための模式図である。
【図５】本発明によるスマート通信機器基盤の低出力光線治療サービス提供システム及び方法の低出力光線治療器用アプリケーション(App)の構成図である。
【図６】本発明による光線治療サービス提供システム及び方法を利用した最初使用者の治療実行のフローチャートである。
【図７】本発明による光線治療サービス提供システム及び方法を利用した継続使用者の治療実行のフローチャートである。
【図８】本発明による光線治療サービス提供システム及び方法を利用した、光製造臨床コードの購入、光製造臨床コードの追加購入、または光製造臨床コードの使用回数追加購入を通じる継続使用者の治療実行のフローチャートである。
【図９】本発明の光線治療アプリケーションの初期画面及び登録画面の一例を示す。
【図１０】本発明の光線治療アプリケーションの疾病選択画面と症状選択画面の一例示す。
【図１１】本発明のスマート通信機器基盤の光線治療アプリケーションの治療方法画面と自己診断画面の一例を示す。
【図１２】本発明のスマート通信機器基盤の光線治療アプリケーションの治療画面の一例を示す。
【図１３】本発明の光線治療アプリケーションでの治療結果入力及び確認画面の一例を示す。
【図１４】本発明の疾病選択画面７２１で、選択された疾病関連の光製造臨床コードを具備していない場合の一例である。
【図１５】本発明の光線治療アプリケーションで光製薬臨床コードを購入したり、追加に使用可能回数を購入する時に提示される購入画面７７１の一例である。
【図１６】本発明の光線治療アプリケーションで、光製薬臨床コードを追加で購入した場合の疾病選択画面、光製薬臨床コードの使用可能回数がなくなった場合の疾病選択画面と治療画面の一例を示す。
【図１７】本発明の光線治療アプリケーションでクイックメニューのポップアップウィンドウ、連結画面、情報出力画面の例を示す。
【図１８】本発明の光線治療アプリケーションでの環境設定画面の例を示す。
【図１９】本発明の光線治療サービス提供システムの情報提供サーバＤＢに保存された情報を説明するための光線治療器の機器番号別の情報リストの例である。
【図２０】本発明の光線治療サービス提供システムの情報提供サーバＤＢと連動した治療履歴画面である。
【発明を実施するための形態】
【００６４】
本発明は、スマート通信機器で、光線の波長、光線の強さ、光線の照射時間、光線の照射パターンを含む光製造臨床コードを購入するために、金融決済サーバと連動して決済が完了すると、スマート通信機器は、情報提供サーバから、光製造臨床コードを受信して、光線治療器に伝送したり、光製造臨床コードによって光線治療器制御信号を生成して光線治療器で伝送し、光線治療器は受信された光製造臨床コードまたは光線治療器制御信号によって駆動されるようになる、スマート通信機器基盤の光線治療サービス提供システム及び方法に関する。
【００６５】
スマート通信機器基盤の光線治療サービス提供システムの駆動方法は、少なくとも、光製造臨床コード保有可否判断段階、光製造臨床コード購入段階、自己診断アンケートの回答保存段階、光線治療器駆動段階、治療結果アンケートの回答保存段階、治療結果の出力段階を含んでなる。
【００６６】
光製造臨床コード保有可否判断段階は、スマート通信機器が、疾病選択画面または症状選択画面で使用者によって選択された症状または疾病の光製造臨床コードを、使用者が購入して有しているかどうかを判断し、そして前記光製造臨床コードの使用可能回数が消尽されたかどうかを判断する。
【００６７】
光製造臨床コード購入段階は、光製造臨床コード保有可否判断段階で、前記光製造臨床コードを既に購入しなかったか、前記光製造臨床コードの使用可能回数が消尽していたならば、スマート通信機器は、前記光製造臨床コードを既に購入しなかったか、前記光製造臨床コードの使用可能回数が消尽されたことを通知するとともに購入可否を問うポップアップウィンドウをディスプレイし、前記ポップアップウィンドウで購入決定を示すスイッチが選択されると、購入画面をプリントして、前記光製造臨床コードまたは前記光製造臨床コードの使用可能回数の購入に対する決済を、金融決済サーバと連動して行う。
【００６８】
自己診断アンケートの回答の保存段階は、光製造臨床コード保有可否判断段階で、前記光製造臨床コードを既に購入しており、前記光製造臨床コードの使用可能回数が消尽されていない場合に、または、光製造臨床コード購入段階で前記光製造臨床コードまたは前記光製造臨床コードの使用可能回数の購入に対する決済が完了した後に、使用者の選択によって、スマート通信機器が、選択された疾病の薬の服用量に対するアンケート項目を含む自己診断画面をディスプレイし、自己診断画面で使用者によって入力された自己診断アンケートの回答を情報提供サーバに伝送し、情報提供サーバは自己診断アンケートの回答を情報提供サーバＤＢに保存する。
【００６９】
光線治療器駆動段階は、自己診断アンケートの回答の保存段階後、情報提供サーバが情報提供サーバＤＢから前記光製造臨床コードを読み込んでスマート通信機器に伝送し、スマート通信機器は受信された前記光製造臨床コードを光線治療器に伝送したり、前記光製造臨床コードにしたがって光線治療器制御信号を生成して光線治療器に伝送して、光線治療器を駆動するようにする。
【００７０】
治療結果アンケートの回答の保存段階は、光線治療器駆動段階後に、スマート通信機器が、痛みの程度に対するアンケート項目を含む治療結果の入力画面をディスプレイし、治療結果の入力画面で使用者によって入力された治療結果アンケートの回答を情報提供サーバに伝送し、情報提供サーバは治療結果アンケートの回答を情報提供サーバＤＢに保存する。
【００７１】
治療結果出力段階は、治療結果アンケートの回答後に、スマート通信機器が、情報提供サーバＤＢに保存された治療結果アンケートの回答または自己診断アンケートの回答を統計処理して、週単位、月単位、年単位でディスプレイする。
【００７２】
以下、本発明を添付の図面を参照してもっと詳細に説明する。
【００７３】
図３は本発明によるスマート通信機器基盤の光線治療サービス提供システムを概略的に説明する模式図であり、図４は本発明によるスマート通信機器基盤の光線治療サービス提供システムを適用した多様な実施例を説明するための模式図である。
【００７４】
図３のように光線治療サービス提供システムは、光線治療器１００、スマート通信機器２００、情報提供サーバ５００を含んで構成される。
【００７５】
光線治療器１００は低出力の光線治療器であって、光線照射電極７１と光線治療器制御部(光線治療用のスマートフォンインターフェース)１３を含み、光線治療器制御部１３は、スマート通信機器２００から受信された光線治療器制御信号又は光製造臨床コードによって、光線照射電極７１の光源を制御する。ここで、光線照射電極７１と光線治療器制御部１３は有線または無線で連結することができる。
【００７６】
光線治療器１００は低出力光線を放出する光源が３色のＬＥＤ、ＯＬＥＤ、ＱＬＥＤ、ＡＭＯＬＥＤのうち、一つを光源として使用し、放出される光線照射の波長、光線照射の強さ、光線照射の時間、光線照射のパターン、低電力光線治療のｏｎ／ｏｆｆが、スマート通信機器２００の光線治療用アプリケーション(App.、応用プログラム)を通じて、有線または無線で制御される。低出力の光線治療器については特許文献５及び特許文献４に記載されており、ここでは詳細な説明を省略する。
【００７７】
図３で、光線治療器１００は光線照射電極７１が光線治療器制御部１３と連結されて身体のどの部分や光線照射電極７１を装着するようになる形態であるが、これで本発明を限定するのではないことを明らかにしておく。
【００７８】
光線治療器１００はヘッドギア、パッチ(Patch)、ネックレス、ブレスレット、時計、ベルト、手首バンド、手袋、腹帯、またはシャツ及びパンツに光線照射電極と光線治療器制御部が内蔵されることができる。または光線治療器１００は光線照射電極と光線治療器制御部を含んでなり、ヘッドギア、パッチ、ネックレス、腕輪、時計、ベルト、手首バンド、手袋、腹帯、シャツ、パンツなどに付着されることができる形態でなる可能性もある。光線照射電極は、身体の所定部位に、接着したり、近接したりして位置されるようになる。
【００７９】
スマート通信機器２００は、使用者認証を通じて情報提供サーバ５００から提供された所定の光線治療用の応用プログラム、すなわち、光線治療用アプリケーション(App)を設置したスマート通信機器であって、使用者が入力した疾病や症状情報を情報提供サーバ５００に伝送し、情報提供サーバ５００で提示された所定の光製造臨床コード(lightceutical clinical code)を使用者が購入すると、情報提供サーバ５００から所定の光製造臨床コードを受信し、また、前記光製造臨床コードによる光線治療方法に関する情報を受信し、受信された光製造臨床コードによって光線治療器制御信号を生成して、光線治療器１００の光線治療器制御部１３に伝送したり、光製造臨床コードを光線治療器１００の光線治療器制御部１３に伝送し、前記光製造臨床コードによる光線治療方法に関する情報をディスプレイする。
【００８０】
光製造臨床コードは光線の波長、光線の強さ、光線の照射時間、光線の照射パターンの値を暗号化して数字または数字とテキストメッセージの組合の形態で示したものである。すなわち、光製造臨床コードは、使用者が選択した疾病や症状の治療に適合した光線照射波長、光線照射の強さ、光線照射の時間、光線照射のパターンで構成された制御信号である。つまり、光製造臨床コードは、光線治療器１００から出力される光線照射波長、光線照射の強さ、光線照射の時間、光線照射のパターンに対する設定値といえる。
【００８１】
スマート通信機器２００は、スマートフォン、腕型スマートフォン(スマートウォッチ)、ノート型パソコン、アイパッド（登録商標）、個人コンピューターなどである。望ましくは、スマート通信機器２００はＡｎｄｒｏｉｄ、Ａｎｄｒｏｉｄ  Ｗｅａｒ、Ａｎｄｒｏｉｄ  Ｏｐｅｎ  Ｓｏｕｒｃｅ  Ｐｒｏｊｅｃｔ、Ａｐｐｌｅ  ｉＯＳ、Ｔｉｚｅｎ、ＭＳ  ｗｉｎｄｏｗ、ＢｌａｃｋＢｅｒｙ、ＦｉｒｅＦｏｘ、ＭｉＵｉ、Ｃolorのうち、一つをＯＳ(operating system)として使用するスマートフォンやスマートウォッチのいずれか一つである。スマート通信機器２００は、光線治療用アプリケーション(App)を搭載しており、前記光線治療用アプリケーションを利用して光線治療器１００及び情報提供サーバ５００と有線または無線で連結される。
【００８２】
スマート通信機器２００で使用者が光製造臨床コードを購入する場合、スマート通信機器２００と金融決済サーバ４００と情報提供サーバ５００が連動して決済することができる。光製造臨床コードによる光線治療方法に関する情報は音響、映像、動画の情報であるができる。また、スマート通信機器２００と光線治療器(１００)は有線または無線で連結されることができる。
【００８３】
本発明で、スマート通信機器２００は、光線治療用アプリケーション(App)を利用して、情報提供サーバ５００に接続して、スマート通信機器２００のＵＩ(User Interface)画面で、使用者の光線治療器１００及び使用者情報を登録することができる。
【００８４】
スマート通信機器２００は、前記アプリケーションを利用して、ＵＩ画面で複数の疾病名や症状を提示して使用者が治療しようとする疾病名や症状を選択するようにし、選択された疾病名や症状に対する光線治療の方法に関する情報を使用者にテキストメッセージや絵または写真または動画で提供し、また、使用者が自分が治療しようとする疾病や症状の光製造臨床コード、または光製造臨床コードと使用可能回数を、スマート通信機器で一定のサービス費用を支払って購入することができる。場合によっては、スマート通信機器２００で、使用者が直接光製造臨床コードを生成したり、必要に応じて光製薬臨床コードを変更することができる。
【００８５】
スマート通信機器２００は、低出力光線治療器用アプリケーションを通じて、情報提供サーバ５００を通じて購入したり、自体的に生成した所定の光製造臨床コードによって、光線治療器制御信号を生成して光線治療器１００に伝送して、低出力光線治療を実行するようにする。
【００８６】
スマート通信機器２００は、光線治療用アプリケーションを通じて、使用者が、ＵＩ画面で、光線治療前と後の自分の疾病や症状の状態を入力して情報提供サーバ５００に保存でき、また、情報提供サーバ５００と連動して、光線治療前後の使用者の疾病や症状に対する治療結果をグラフや数値で週単位、月単位、年単位で確認するようにディスプレイする。
【００８７】
スマート通信機器２００で使用者が光製造臨床コードを購入する場合、連動する金融決済サーバ４００は、決済するためのサーバである。つまり、金融決済サーバ４００は、スマート通信機器２００で低出力光線治療器用アプリケーションを利用して情報提供サーバ５００に接続して選択した疾病や症状の治療に適合した光製造臨床コードと治療回数を購入するためのサービス費用を支払うのに必要なサーバである。金融決済サーバ４００は、個人の金融取引認証などを利用する本人認証技術、有料サービスのための金融機関で運用する金融決済サーバ、または、モバイル決済サービス(例えば、グーグルペイ、三星ペイ、カカオペイ、ネイバーペイ、ペイコ、ＳＳＧペイ、Ｌペイ、アップルペイ、アリペイ)を利用することができ、これは広く公知された技術であって、その連動技術は、実施例を説明しなくても、この技術分野の通常の技術者の水準で容易に理解し、多様に具現することができる。
【００８８】
情報提供サーバ５００は、スマート通信機器２００から受信した光線治療器１００の機器番号、暗証番号、性別、年齢及び皮膚色などの個人情報を受信して顧客情報ＤＢに保存する。スマート通信機器２００で低出力光線治療器用アプリケーションを実行すると、ＵＩ画面に多数個の疾病や症状を提示し、使用者は治療しようとする疾病や症状を選択することになる。
【００８９】
情報提供サーバ５００は、使用者が選択した疾病や症状に対する光製造臨床コードが、既に購入されているかを判断し、使用可能回数が超過して消滅したり、購入されていないと、これをスマート通信機器２００で通知し、スマート通信機器２００はこれをテキストメッセージなどでディスプレーして使用者に通知し、また、光製造臨床コードの購入できるＵＩ画面を提示して、使用者に所定の光製造臨床コードおよび治療回数を選択して、金融決済サーバ４００と連動して、金融決済して購入するようにする。
【００９０】
使用者が疾病や症状に対する光製造臨床コードと治療回数を購入すると、情報提供サーバ５００は、スマート通信機器２００から受信された疾病や症状情報によって情報提供サーバＤＢ６００で、光製造臨床コードを読み込んで光製造臨床コードを生成し、また、情報提供サーバＤＢ６００で、使用者の疾病や症状に対する治療方法に関する情報及び前記疾病や症状に関する国際的に標準化された疾病アンケート紙を読んでかけて、生成された光製造臨床コードだけではなく、治療方法に関する情報及び前記疾病アンケートをスマート通信機器２００に伝送する。スマート通信機器２００は受信された光製造臨床コードによって光線治療器制御信号を生成して、光線治療器１００に伝送し、これによって光線治療器１００が駆動することになる。また、治療前に自己診断のために、受信された疾病アンケートをスマート通信機器２００でディスプレーして、治療前に使用者の状態を記録するようにし、スマート通信機器２００はこれ(つまり、アンケートに対する使用者の回答)を情報提供サーバ５００に伝送して情報提供サーバＤＢ６００に保存するようにし、スマート通信機器２００は、治療方法に関する情報を出力して、使用者が前記治療方法を見ながら治療することができるようにする。ここで、治療方法には１回治療時の適正時間、いつ治療すると効果的であるか、治療期間、光線照射電極(光線照射プローブ)の装着部位などが記載されている。
【００９１】
また、情報提供サーバ５００は、情報提供サーバＤＢ６００に、スマート通信機器２００で使用者が入力した光線治療器の機器番号、暗証番号、性別、年齢、皮膚色、疾病名、症状名などの個人情報を保存し、また、使用者が治療前にスマート通信機器２００の自己診断画面で自己診断アンケートの回答(つまり、光線治療前の使用者の疾病や症状の状態)を保存し、また、使用者ーが治療後にスマート通信機器２００の治療結果の入力画面で治療結果アンケートの回答(つまり、光線治療後の使用者の疾病や症状の状態(治療効果))を保存する。
【００９２】
治療結果の入力画面は、多数のアンケート項目を含み、この時、アンケート項目のうち、少なくとも使用者によって選択された疾病の痛み程度(使用者が感じる痛みの大きさ程度)に対するアンケート項目は含まれる。
【００９３】
情報提供サーバＤＢ６００は低出力光線治療が可能なそれぞれの疾病や症状の治療に適合した光線照射波長、光線照射の強さ、光線照射の時間、光線照射のパターンで構成された光製造臨床コードと、それぞれの疾病や症状に対する光線照射電極の付着位置などを含む治療方法と、国際的に標準化された自己診断(疾病)アンケートと治療結果(疾病)アンケートなどを保存している。また、情報提供サーバＤＢ６００は、情報提供サーバ５００を通じて伝送してもらった光線治療器の機器番号及び暗証番号、使用者情報(例えば、性別、年齢、皮膚色)を暗号化して保存し、スマート通信機器２００で受信した使用者の自己診断(疾病)アンケート回答及び治療結果(疾病)アンケート回答を使用者別に、そして日付別に保存する。
【００９４】
情報提供サーバ５００は、スマート通信機器２００で、光線治療結果を確認しようとする要請があれば、情報提供サーバＤＢ６００に光線治療器の機器番号と疾病や症状及び日付別に保存されている結果をスマート通信機器２００に伝送して、使用者に週単位、月単位、年単位で確認できるようにする。
【００９５】
本発明で、スマート通信機器２００と情報提供サーバ５００との間にデータ(data)の伝達方式は、ｇｅｔ方式又はｐｏｓｔ方式またはその他の最新情報伝達方式のうち、どの一つを使用してＡＰＩ方式またはＰｌｕｇ−Ｉｎ方式またはその他の最新暗号化方式のいずれかひとつで暗号化して伝送するようになる。
【００９６】
本発明で、光線治療用アプリケーションのＵＩ言語は、ＵＮに登録された言語の中の一つとして表示されるようになる。
【００９７】
本発明で、スマート通信機器２００と低出力光線治療器１００との間に無線で連結される方式は、Ｚｉｇｂｅｅ、ｂｌｕｅｔｏｏｔｈ、ＮＦＣ、ＷｉＦｉ、ＲＦ方式のうちの一つを使用し、有線で連結される場合はＵＳＢ端子またはアイフォーン端子またはＲＳ２３２Ｃ又はＩ２Ｃ又はＳＰＩを使用して連結される。
【００９８】
図４は、光線治療器１００を耳に装着して治療する場合を示し、これで本発明を限定するためのことではないということを明らかにしておく。光線治療器１００は耳たぶ、耳の穴、顔、はら(腹部)、背、腕、脚などの使用者の身体のどこでも装着されて治療することができることはもちろんである。
【００９９】
図４の（ａ）は、スマート通信機器２００としてスマートフォンを使用し、光線治療器１００とスマートフォンが有線で連結された場合を示し、図４の（ｂ）は、スマート通信機器２００として腕型スマートフォンを使用し、光線治療器１００と腕型スマートフォンが有線で連結された場合を示し、図４の（ｃ）は、スマート通信機器２００として腕型スマートフォンを使用し、光線治療器１００と腕型スマートフォンが無線で連結された場合を示し、図４の（ｄ）は、スマート通信機器２００としてスマートフォンを使用し、光線治療器１００とスマートフォンが無線で連結された場合を示し、図４の（ｅ）は、スマート通信機器２００として個人用コンピューターを使用し、光線治療器１００と個人用コンピュータが有線で連結された場合を示す。
【０１００】
本発明でスマート通信機器２００に搭載される応用プログラム、すなわち、低出力光線治療器用アプリケーション(App)は、スマート通信機器２００と低出力光線治療器１００を有線または無線で連結することができる機能と、スマート通信機器２００で低出力光線治療器１００の機器番号と暗証番号を入力して情報提供サーバ５００に接続することができ、情報提供サーバ５００と接続した状態でスマート通信機器２００のＵＩ画面で低出力光線治療器１００をユーザ機器として登録する機能と、性別、年齢、皮膚色のような使用者情報を登録する機能と、使用者に複数個の疾病名や症状を提示し、使用者が治療しようとする疾病や症状を選択するようにする機能と、使用者が選択した疾病や症状の治療方法に関する情報を使用者にテキストメッセージや絵または写真または動画で提供する機能と、使用者が治療前の疾病や症状に関する国際的に標準化された疾病アンケート、つまり、自己診断画面の自己診断アンケートを通じて自分の現在の疾病や症状の状態を入力する機能と、使用者が必要によって光製造臨床コードを変更することができる機能と、使用者が購入した光製造臨床コードを低出力光線治療器１００に有線または無線で伝送して低出力光線治療を実行する機能と、使用者が購入した光製造臨床コードの疾病や症状のほかに、購入されていない疾病や症状に対する光製造臨床コードまたは光線治療器の駆動が選択されないようにする機能と、使用者に、購入した疾病や症状を治療することができる治療回数を提示し、使用可能な治療回数が"０"と表示されると、光線治療器１００に光製造臨床コードが伝送されないようにする機能と、使用者が光線治療後に病気や症状に関する国際的に標準化された疾病アンケート、つまり、治療結果の入力画面の治療結果アンケートを通じて、自分の現在の疾病や症状の状態を入力する機能と、使用者が治療結果を週単位、月単位、年単位で低出力光線治療前後、自分の疾病や症状の状態資料を比較して確認することができる機能と、使用者が自分が治療しようとする疾病または症状を治療するために必要な光製造臨床コードと治療回数をスマート通信機器２００でサービス料金を支払って購入することができる機能と、使用者が購入した疾病や症状を治療することにおいて、使用可能な治療回数を見せてくれて使用可能な治療回数が"０"になると、使用者にテキストメッセージで疾病や症状を治療するためには治療回数を再購入しなければならないという事実を通知し、 購入できるUI画面を提示して、使用者が治療回数を再購入することができるようにする機能と、使用者が低出力光線治療のために入力した資料が有線または無線情報通信網を利用して、情報提供サーバ５００に伝送されて、情報提供サーバＤＢ６００に保存される機能を含む。
【０１０１】
図５は、本発明によるスマート通信機器基盤の低出力光線治療サービス提供システム及び方法の光線治療用アプリケーションの構成図である。
【０１０２】
光線治療用アプリケーションは、光線治療器及び使用者情報登録、疾病選択及び情報提供、自己診断、低出力光線治療、治療後の状態入力、治療結果確認、光製薬臨床コード購入で構成される。つまり、光線治療用アプリケーションは登録画面、疾病選択画面、症状選択画面、治療方法画面、治療画面、光製薬臨床コード購入画面、治療結果確認画面、治療結果の入力画面、自己診断画面などを含む。
【０１０３】
図６は、本発明によるスマート通信機器基盤の低出力光線治療サービス提供システム及び方法を利用した最初使用者の治療実行のフローチャートである。
【０１０４】
スマート通信機器とペアリング段階で、光線治療器１００を有線または無線でスマート通信機器２００と連結する(Ｓ１００)。
【０１０５】
登録段階で、スマート通信機器とペアリング段階で、スマート通信機器２００と低出力光線治療器１００が有線または無線で連結されると、スマート通信機器２００の初期画面７０１のうち、登録ボタン７０２を選択して、登録画面に移動させ、スマート通信機器２００の登録画面で、使用者は、使用者が具備した光線治療器１００の機器番号(例えば、シリアル番号)と暗証番号(例えば、会員暗証番号)、使用者情報(例えば、性別、年齢、皮膚色)を入力し(Ｓ１１０)、スマート通信機器２００は、入力された情報を暗号化して情報提供サーバ５００に伝送し(Ｓ１２０)、情報提供サーバ５００は、情報提供サーバＤＢ６００に伝送し(Ｓ１３０)、伝送された情報は情報提供サーバＤＢ６００の顧客関連情報として保存される(Ｓ１４０)。場合によって、Ｓ１２０段階で、情報提供サーバ５００は、使用者情報(認証書などで)を認証し、認証された使用者情報を情報提供サーバＤＢ６００に保存することができる。
【０１０６】
ここで、スマート通信機器２００と低出力光線治療器１００が有線で連結する場合、低出力光線治療器用アプリケーション(App)が自動実行され、スマート通信機器２００と無線で連結する場合、低出力光線治療器用アプリケーション(App)を実行後、使用者が具備している低出力光線治療器１００と無線通信(例えば、ブルートゥース（登録商標）)に連結される。
【０１０７】
疾病まはた症状選択段階で、登録段階で、スマート通信機器２００を通じて、使用者の情報入力が完了して登録されると、使用者は、スマート通信機器２００の疾病選択画面７２１または症状選択画面７３１で治療しようとする疾病名や症状を選択し(Ｓ１５０)、使用者が選択した症状情報または疾病情報は、スマート通信機器２００で情報提供サーバ５００に伝送され(Ｓ１６０)、情報提供サーバ５００はこれを情報提供サーバＤＢ６００に伝送して(Ｓ１７０)、情報提供サーバＤＢ６００の顧客関連情報に追加して保存する(Ｓ１８０)。
【０１０８】
治療方法情報受信段階で、情報提供サーバ５００は、疾病または症状選択段階で選択された疾病名または症状情報によって、情報提供サーバＤＢ６００で、治療に必要な情報(治療方法情報)とともに自己診断アンケートを読んで入れ(Ｓ１９０）、これをスマート通信機器２００に伝送してスマート通信機器の画面に上方をディスプレイする（Ｓ２００)。
【０１０９】
ここで、治療に必要な情報、すなわち、治療方法情報は低出力光線治療器１００の電極の装着位置、１日の治療時間および治療回数、低出力光線治療器１００の使用方法、注意事項などの情報を文字や絵、または写真や動画のうち、一つで示したものである。また、自己診断アンケートは治療前後に使用されるアンケートであって、自己診断のための疾病や症状に関する国際的に標準化された疾病アンケートをいう。
【０１１０】
自己診断アンケートの回答の保存段階であって、治療方法情報受信段階で、スマート通信機器２００にディスプレイされた治療に必要な情報(治療方法情報)及び自己診断アンケートに従って、使用者は低出力光線治療に必要な情報(すなわち、治療方法情報)を確認した後に、自分の疾病や症状の現在状態を入力しる自己診断を実施することになり(Ｓ２１０)、自己診断が完了すると、スマート通信機器２００に入力された情報、すなわち、自己診断アンケートの回答が暗号化されて、有線・無線情報通信網３００を通じて情報提供サーバ５００に伝送され(Ｓ２２０)、情報提供サーバ５００はこれを情報提供サーバＤＢ６００に伝送し(Ｓ２３０)、伝送された自己診断情報は情報提供サーバＤＢ６００に顧客関連情報に追加されて保存される(Ｓ２４０)。
【０１１１】
図６では図示されていないが、疾病または症状選択段階(Ｓ１８０)後、または自己診断アンケートの回答の保存段階(Ｓ２４０)後、光製造臨床コード購入段階をさらに具備することができる。
【０１１２】
光製造臨床コード購入段階は、スマート通信機器２００または情報提供サーバ５００は、疾病または症状選択段階で使用者が選択した疾病または症状による光製造臨床コードを使用者が購入して持っているか、そして光製造臨床コードの使用可能回数がすでに使われて消尽されたかどうかを判断し、光製造臨床コードを購入しなかったか、使用可能回数が消尽されたら、スマート通信機器２００に治療用光製造臨床コードの購入画面をディスプレイし、使用者によって光製造臨床コードを購入するようにする。
【０１１３】
光線治療器駆動段階であって、自己診断アンケートの回答の保存段階で、使用者がスマート通信機器２００を利用して自己診断アンケートの回答することによって、自己診断過程を終えることになると、治療画面(つまり、治療実施画面)が使用者に提示され、(Ｓ２５０)、使用者は治療画面(つまり、治療実施画面)を利用して、低出力光線治療を実施するが、この時、光製造臨床コードが自動的にスマート通信機器２００から光線治療器１００に伝送されて光線治療器１００がこれによって駆動されたり、スマート通信機器２００から光製造臨床コードにしたがって光線治療器制御信号を生成して光線治療器１００に伝送し、光線治療器１００がこれによって駆動されることによって、光線治療器１００で治療のための光線が照射されて治療を行うことになる(Ｓ２６０)。
【０１１４】
ここで、光製造臨床コードは、使用者が治療しようとする疾病や症状を購入するときに入力した性別、年齢、皮膚色にもとづいて設定された光線照射波長、光線照射の強さ、光線照射の時間、光線照射のパターンが暗号化されたものである。
【０１１５】
光線治療器終了段階であって、光線治療器駆動段階で、治療途中に光線照射停止ボタンが強制的に選択されたり、設定された治療時間に到達することになると自動的に低出力光線治療が終了され、これはスマート通信機器２００に伝達され、治療が終了した後には低出力光線治療器１００またはスマート通信機器２００に保存された光製造臨床コードはクリア(初期化)され、スマート通信機器２００に保存されている購入された光製造臨床コードの使用可能回数も、すでに治療された所定回数(例に、４回)だけに、差し引かれて保存され、治療画面でも治療された所定回数(例に、４回)だけに、差し引かれて表示される(Ｓ２７０)。
【０１１６】
治療終了情報保存段階であって、光線治療器終了段階で光線治療器１００による低出力光線治療が終了されると、スマート通信機器２００は、情報提供サーバ５００に治療が終了したことを通知する信号である、治療終了通知信号とともに、治療終了情報、すなわち、実際の治療回数(または治療時間区間情報)、残っている光製造臨床コードの使用可能回数が伝送され(Ｓ２８０)、情報提供サーバ５００はこれを情報提供サーバＤＢ６００に伝送され(Ｓ２９０)、伝送された治療終了情報は情報提供サーバＤＢ６００に顧客情報に追加されて保存される(Ｓ３００)。
【０１１７】
治療結果アンケートの回答の保存段階であって、治療終了情報保存段階で、情報提供サーバ５００は、治療終了の通知信号が受信されると、情報提供サーバＤＢ６００から国際的に標準化された疾病アンケートである治療結果アンケートを読んで入れ(Ｓ３１０)、これをスマート通信機器２００に伝送し(Ｓ３２０)、使用者が治療後、スマート通信機器２００で治療結果ボタン及び結果入力ボタンを選択すると、スマート通信機器２００は、治療結果アンケートをディスプレイし、使用者が治療結果アンケートの回答を入力すると、治療結果アンケートの回答を情報提供サーバ５００に伝送し(Ｓ３４０)、情報提供サーバ５００はこれを情報提供サーバＤＢ６００に伝送して(Ｓ３５０).情報提供サーバＤＢ６００の顧客情報に追加されて保存される(Ｓ３６０)。
【０１１８】
すなわち、スマート通信機器２００の治療画面で、治療が終了すると、治療結果ボタンが生成され、使用者が治療後、治療結果ボタンを選択すると、スマート通信機器２００は、治療結果メイン画面がディスプレーされる。治療結果メイン画面には、治療した日、治療しない日と今日が表示されたカレンダーと、治療結果入力ボタンと結果確認ボタンが提示される。使用者が結果入力ボタンを選択して治療結果入力画面で、治療結果アンケートに従って、使用者が疾病や症状治療後、自分の疾病や症状の状態を入力することになれば、有線・無線情報通信網３００を通じて情報提供サーバ５００に伝送されて情報提供サーバＤＢ６００の顧客情報に保存されるようになる。
【０１１９】
治療結果出力段階であって、治療結果アンケートの回答の保存段階で、治療結果アンケートの回答の保存が完了し、使用者が自分の治療前後の状態を確認しようとして、使用者が結果確認ボタンを選択すると、スマート通信機器２００は、治療結果確認画面をディスプレイし、治療結果確認画面で結果を確認しようとする所定の期間(例に、１週、月、年度)ボタンを選択すると、スマート通信機器２００は、所定期間の結果確認要請信号を情報提供サーバ５００に伝送し(Ｓ３７０)、情報提供サーバ５００は、これを情報提供サーバＤＢ６００に伝送して(Ｓ３８０)、情報提供サーバＤＢ６００から所定期間の治療結果(すなわち、使用者の治療前後の状態)を受信して(Ｓ３９０)スマート通信機器２００に伝送し(Ｓ４００)、スマート通信機器２００は、所定期間の治療結果をディスプレーして、疾病や症状に対する治療結果をグラフや数値で表し、週単位、月単位、年単位で示して、使用者に治療効果を確認できるようにする(Ｓ４１０)。
【０１２０】
情報提供サーバＤＢ６００から受信された治療結果は、使用者が治療前に入力した自己診断アンケートの回答と、治療後に入力した治療結果アンケートの回答についた統計資料である。
【０１２１】
図７は、本発明によるスマート通信機器基盤の低出力光線治療サービス提供システム及び方法を利用した継続使用者の治療実行のフローチャートである。
【０１２２】
スマート通信機器とペアリング段階であって、もし、スマート通信機器２００で、使用者の選択によって、アラーム機能を選択した場合には、選択された時間にアラームが鳴ると(Ｓ９０)、使用者は具備した光線治療器１００を有線または無線でスマート通信機器２００と連結し(Ｓ１００)、もし、アラーム機能を選択していない場合には具備した光線治療器１００を有線または無線でスマート通信機器２００と連結する(Ｓ１００)。
【０１２３】
ここで、スマート通信機器２００と低出力光線治療機１００が有線で連結する場合、低出力光線治療器用アプリケーション(App)が自動実行され、スマート通信機器２００と無線で連結する場合、光線治療器用アプリケーション(App)を実行後、使用者が具備している光線治療器１００と無線通信(例えば、ブルートゥース（登録商標）)で連結される。
【０１２４】
疾病または症状選択段階であって、スマート通信機器とペアリング段階で、使用者が具備している光線治療器１００とスマート通信機器２００との連結が完了すると、使用者は、スマート通信機器２００の疾病選択画面７２１または症状選択画面７３１で治療しようとする疾病名や症状を選択し(Ｓ１５０)、使用者が選択した症状情報または疾病情報は、スマート通信機器２００で情報提供サーバ５００に伝送され(Ｓ１６０)、情報提供サーバ５００はこれを情報提供サーバＤＢ６００に伝送して(Ｓ１７０)、情報提供サーバＤＢ６００の顧客関連情報に追加して保存する(Ｓ１８０)。
【０１２５】
光線治療器駆動段階であって、疾病または症状選択段階で治療しようとする疾病または症状が選択されると、治療画面(すなわち、治療実施画面)がスマート通信機器２００にディスプレイされ(Ｓ２５０)、使用者が治療画面を利用して光線治療を実施するが、この時、光製造臨床コードが自動的にスマート通信機器２００から光線治療器１００に伝送されて光線治療器１００がこれによって駆動されたり、スマート通信機器２００から光製造臨床コードによって光線治療器制御信号を生成して光線治療器１００に伝送し、光線治療器１００がこれによって駆動されることによって、光線治療器１００で治療のための光線が照射されて治療を行うことになる(Ｓ２６０)。
【０１２６】
光線治療器終了段階であって、光線治療器駆動の段階で、治療途中に光線照射停止ボタンが強制的に選択されたり、設定された治療時間に到達することになると自動的に光線治療が終了され、これはスマート通信機器２００に伝達され、治療が終了された後には低出力光線治療器１００またはスマート通信機器２００に保存された光製造臨床コードはクリア(初期化)され、スマート通信機器２００に保存されている、購入された光製造臨床コードの使用可能回数も、すでに治療された所定回数(例に、４回)だけに差し引かれて保存され、治療画面でも治療された所定回数(例に、４回)だけに差し引かれて光製造臨床コードの使用可能回数を表示する(Ｓ２７０)。
【０１２７】
治療終了情報保存段階であって、光線治療器終了段階で光線治療器１００による低出力光線治療が終了されると、スマート通信機器２００は情報提供サーバ５００に治療が終了したことを通知する信号である、治療終了通知信号とともに、治療終了情報、すなわち、実際の治療回数(または治療時間区間情報)、残っている光製造臨床コードの使用可能回数が伝送され(Ｓ２８０)、情報提供サーバ５００はこれを情報提供サーバＤＢ６００に伝送され(Ｓ２９０)、伝送された治療終了情報は情報提供サーバＤＢ６００に顧客情報に追加されて保存される(Ｓ３００)。
【０１２８】
治療結果アンケートの回答の保存段階であって、治療終了情報保存段階で、情報提供サーバ５００は、治療終了通知信号が受信されると、情報提供サーバＤＢ６００から治療結果アンケートを読んで入れ(Ｓ３１０)、これをスマート通信機器２００に伝送し(Ｓ３２０)、使用者が治療後、スマート通信機器２００で治療結果ボタン及び結果入力ボタンを選択すると、スマート通信機器２００は、治療結果アンケートをディスプレーし、使用者が治療結果アンケートの回答を入力すると、治療結果アンケートの回答を情報提供サーバ５００に伝送し(Ｓ３４０)、情報提供サーバ５００はこれを情報提供サーバＤＢ６００に伝送して(Ｓ３５０).情報提供サーバＤＢ６００の顧客情報に追加されて保存される(Ｓ３６０)。
【０１２９】
治療結果出力段階であって、治療結果アンケートの回答保存段階で治療結果アンケートの回答の保存が完了し、使用者が自分の治療前後の状態を確認しようとして、使用者が結果確認ボタンを選択すると、スマート通信機器２００は治療結果確認画面をディスプレイし、治療結果確認画面で結果を確認しようとする所定期間(例に、１週間、月、年度)ボタンを選択すると、スマート通信機器２００は、所定期間の結果確認要請信号を情報提供サーバ５００に伝送し(Ｓ３７０)、情報提供サーバ５００は、これを情報提供サーバＤＢ６００に伝送して(Ｓ３８０)、情報提供サーバＤＢ６００から所定期間の治療結果(すなわち、使用者の治療前後の状態)を受信して(Ｓ３９０)、スマート通信機器２００に伝送し(Ｓ４００)、スマート通信機器２００は、所定期間の治療結果をディスプレーして、疾病や症状に対する治療結果をグラフや数値で表し、週単位、月単位、年単位で示して、使用者に治療効果を確認することができるようにする(Ｓ４１０)。
【０１３０】
図６は最初使用者の治療実行のフローチャートであるが、図７は継続使用者の治療実行のフローチャートであって、図７の場合には、使用者がスマート通信機器２００で治療時間になればアラームをしてくれるという点と、治療前に行われる自己診断アンケートの回答保存段階を備えていないという点が、図６の治療実行のフローチャートと異なる。
【０１３１】
図８は、本発明によるスマート通信機器基盤の低出力光線治療サービス提供システム及び方法を利用した、疾病に対する光製造臨床コードの追加購入、光製造臨床コードの使用可能回数の追加購入を通じた継続使用者の治療実行のフローチャートである。
【０１３２】
スマート通信機器とペアリング段階であって、もし、スマート通信機器２００で、使用者の選択によって、アラーム機能を選択した場合には、選択された時間にアラームが鳴ると(Ｓ９０)、使用者は具備した光線治療器１００を有線または無線でスマート通信機器２００と連結し(Ｓ１００)、もし、アラーム機能を選択していない場合には具備した光線治療器１００を有線または無線でスマート通信機器２００と連結(ペアリング)する(Ｓ１００)。
【０１３３】
ここで、スマート通信機器２００と低出力光線治療器１００が有線で連結する場合、低出力光線治療器用アプリケーション(App)が自動実行され、スマート通信機器２００と無線で連結する場合、光線治療器用アプリケーション(App)を実行後、使用者が具備している光線治療器１００と無線通信(例えば、ブルートゥース（登録商標）)に連結される。
【０１３４】
第１疾病または症状選択段階であって、スマート通信機器とペアリング段階で、使用者が具備している光線治療器１００とスマート通信機器２００の連結が完了すると、使用者は、スマート通信機器２００の疾病選択画面７２１または症状選択画面７３１で治療しようとする疾病名や症状を選択し(Ｓ１５０)、使用者が選択した症状情報または疾病情報は、スマート通信機器２００で情報提供サーバ５００に伝送され(Ｓ１６０)、情報提供サーバ５００はこれを情報提供サーバＤＢ６００に伝送して(Ｓ１７０)、情報提供サーバＤＢ６００の顧客関連情報に追加して保存する(Ｓ１８０)。
【０１３５】
第１光製造臨床コード購入段階であって、スマート通信機器２００または情報提供サーバ５００は、第１疾病または症状選択段階で使用者が選択した疾病または症状による光製造臨床コードを使用者が購入して持っているか、そして光製造臨床コードの使用可能回数がすでに使われて消尽されたかどうかを判断し、光製造臨床コードを購入しなかったか、使用可能回数が消尽されたら、光製造臨床コードを購入しなければならないという事実をテキストメッセージで通知し、スマート通信機器２００に、光製造臨床コードを購入することができるＵＩ画面の、治療用の光製造臨床コード購入画面をディスプレイし(Ｓ１８１)、治療用の光製造臨床コード購入画面で、第１疾病または症状選択段階で選択された疾病で、光製造臨床コードを使用した治療回数(すなわち、光製造臨床コードの使用可能回数)を選択するようにし、疾病名及び使用可能回数に従って購入価格が決定され、治療用の光製造臨床コード購入のために、スマート通信機器２００は金融決済サーバ４００と接続(連動)し、使用者は、一定のサービス料金を支払って決済することになり(Ｓ１８２)、金融決済サーバ４００を通じて決済が完了すると、決済完了情報が情報提供サーバ５００に伝送され(Ｓ１８３)、情報提供サーバ５００は、決済情報を情報提供サーバＤＢ６００に伝送して(Ｓ１８４)、情報提供サーバＤＢ６００の顧客関連情報に追加されて保存させ(Ｓ１８５)、情報提供サーバ５００は使用者が選択した疾病名および治療回数に応じて、情報提供サーバＤＢ６００から光製造臨床コードを読み込み(Ｓ１８６)、読み込んだ光製造臨床コードをスマート通信機器２００に伝送する(Ｓ１８７)。場合によっては段階Ｓ１８７で、情報提供サーバ５００は、光製造臨床コードだけでなく、光製造臨床コードの使用可能回数(使用可能回数)をスマート通信機器２００に伝送することができる。
【０１３６】
本発明で、光製造臨床コード購入段階で使用される決済は、通常的に金融機関で運用する金融決済サーバまたはモバイル決済サービスと連動して行うことになる。
【０１３７】
第１疾病または症状選択段階及び第１光製造臨床コード購入段階は、光製造臨床コードを初めて購入する者のためのものである。
【０１３８】
第２疾病または症状選択段階であって、第１光製造臨床コード購入段階後、スマート通信機器２００で疾病または症状を選択するＵＩ画面である、疾病選択画面７２１または症状選択画面７３１が再びディスプレーされ、使用者は治療を受けようとする疾病または症状を選択することになり、選択された疾病または症状の光製造臨床コードがすでに購入されたのか、その光製造臨床コードの使用可能回数が消尽されたかどうかを判断する。
【０１３９】
自己診断アンケートの回答の保存段階であって、第２疾病または症状選択段階で選択された疾病または症状の光製造臨床コードがすでに購入されたことで、光製造臨床コードの使用可能回数が消尽されなかったら、図６の最初使用者の治療実行のフローチャートで自分の疾病や症状の現在状態を入力する、自己診断アンケートの回答の保存段階を行うことになる。すなわち、自己診断アンケートの回答の保存段階は、スマート通信機器２００にディスプレーされた自己診断アンケートにしたがって、使用者は低出力光線治療に必要な情報(すなわち、治療方法情報)を確認した後に、自分の疾病や症状の現在状態を入力する自己診断を実施することになり(Ｓ２１０)、自家診断が完了すると、スマート通信機器２００に入力された情報、すなわち、自己診断アンケートの回答が暗号化されて、有線・無線情報通信網３００を通じて情報提供サーバ５００に伝送され(Ｓ２２０)、情報提供サーバ５００はこれを情報提供サーバＤＢ６００に伝送し(Ｓ２３０)、伝送された自己診断情報は情報提供サーバＤＢ６００に顧客関連情報に追加されて保存される(Ｓ２４０)。自己診断アンケートの回答の保存段階の完了後、光線治療器駆動段階(Ｓ２５０、Ｓ２６０)へ進む。
【０１４０】
第２光製造臨床コード購入段階であって、第２疾病または症状選択段階で、使用者が選択した疾病または症状の光製造臨床コードの使用可能回数がなくなった場合、使用者にテキストメッシジで光製造臨床コードを再購入しなければならないという事実を通知し(Ｓ１８８)、治療用製造臨床コード購入画面をディスプレイし(Ｓ１８１)、スマート通信機器２００は金融決済サーバ４００と接続(連動)し、使用者は一定のサービス料金を支払って決済することになり(Ｓ１８２)、金融決済サーバ４００を通じて決済が完了すると、決済完了情報が情報提供サーバ５００に伝送され(Ｓ１８３)、情報提供サーバ５００は決済情報を情報提供サーバＤＢ６００に伝送して(Ｓ１８４)、情報提供サーバＤＢ６００の顧客関連情報に追加されて保存させ(Ｓ１８５)、情報提供サーバ５００は使用者が選択した疾病及び治療の回数によって、情報提供サーバＤＢ６００から光製造臨床コードを読み込み(Ｓ１８６)、読み込んだ光製造臨床コードをスマート通信機器２００に伝送する(Ｓ１８７)。
【０１４１】
第２疾病または症状選択段階及び第２光製造臨床コード購入段階は、光製造臨床コードをすでに購入したが、他の症状または疾病のためのもので、治療しようとする疾病の光製造臨床コードを購入しなければならない場合を示したものである。
【０１４２】
第３疾病または症状選択段階であって、第２光製造臨床コード購入段階が完了すると、スマート通信機器２００で疾病または症状を選択するUI画面である、疾病選択画面７２１または症状選択画面７３１が再びディスプレーされ、使用者は治療を受けようとする疾病または症状を選択することになり、選択された疾病または症状の光製造臨床コードがですでに購入されたのか、その光製造臨床コード使用可能回数が消尽されたかどうかを判断する。もし、第３疾病または症状選択段階で、第２光製造臨床コード購入段階で再購入した光製造臨床コードで治療する疾病を選択すると、光線治療器駆動段階(Ｓ２５０、Ｓ２６０)へ進む。
【０１４３】
第３光製造臨床コード購入段階であって、第３疾病または症状選択段階で、使用者が選択した疾病または症状の光製造臨床コードの使用可能回数がなくなった場合、使用者にテキストメッシジで光製造臨床コードを再購入しなければならないという事実を通知し(Ｓ１８９)、治療用光製造臨床コード購入画面をディスプレイし(Ｓ１８１)、スマート通信機器２００は金融決済サーバ４００と接続(連動)し、使用者は一定のサービス料金を支払って決済することになり(Ｓ１８２)、金融決済サーバ４００を通じて決済が完了すると、決済完了情報が情報提供サーバ５００に伝送され(Ｓ１８３)、情報提供サーバ５００は決済情報を情報提供サーバＤＢ６００に伝送して(Ｓ１８４)、情報提供サーバＤＢ６００の顧客関連情報に追加されて保存させ(Ｓ１８５)、情報提供サーバ５００は使用者が選択した疾病及び治療回数にしたがって、情報提供サーバＤＢ６００から光製造臨床コードを読み込み(Ｓ１８６)、読み込んだ光製造臨床コードをスマート通信機器２００に伝送する(Ｓ１８７)。第３光製造臨床コード購入段階で購入が完了すると、光線治療器駆動段階(Ｓ２５０、Ｓ２６０)へ進む。
【０１４４】
第３疾病または症状選択段階及び第３光製造臨床コード購入段階は、治療しようとする症状または疾病の光製造臨床コードをすでに購入したが、すでに使用可能回数が消尽されたもので、再購入する過程を示したものである。
【０１４５】
光線治療器駆動段階であって、治療画面(すなわち、治療実施画面)がスマート通信機器２００にディスプレーされ(Ｓ２５０)、使用自が治療画面を利用して、光線治療を実施するが、この時、光製造臨床コードが自動的にスマート通信機器２００から光線治療器１００に伝送されて光線治療器１００がこれによって駆動したり、スマート通信機器２００から光製造臨床コードにしたがって光線治療器制御信号を生成して光線治療器１００に伝送し、光線治療器１００がこれによって駆動することによって、光線治療器１００で治療のための光線が照射されて治療を行うことになる(Ｓ２６０)。
【０１４６】
光線治療機終了段階であって、光線治療器駆動段階で、治療途中に光線照射停止ボタンが強制的に選択されたり、設定された治療時間に到達することになると自動的に光線治療が終了し、これはスマート通信機器２００に伝送され、治療が終了した後には低出力光線治療機１００またはスマート通信機器２００に保存された光製造臨床コードはクリア(初期化)し、スマート通信機器２００に保存されている、購入された光製造臨床コードの使用可能回数も、すでに治療された所定回数(例に、４回)だけに差し引かれて保存され、治療画面でも治療された所定回数(例に、４回)だけに差し引かれて光製造臨床コードの使用可能回数を表示する(Ｓ２７０)。
【０１４７】
治療終了情報保存段階であって、光線治療器終了段階で光線治療器１００による低出力光線治療が終了されると、スマート通信機器２００は、情報提供サーバ５００に治療が終了したことを通知する信号である、治療終了通知信号とともに、治療終了情報、すなわち、実際の治療回数(または治療時間区間情報)、残っている光製造臨床コードの使用可能回数が伝送され(Ｓ２８０)、情報提供サーバ５００はこれを情報提供サーバＤＢ６００に伝送され(Ｓ２９０)、伝送された治療終了情報は情報提供サーバＤＢ６００に顧客情報に追加されて保存される(Ｓ３００)。
【０１４８】
治療結果アンケートの回答の保存段階であって、治療終了情報保存段階で、情報提供サーバ５００は治療終了通知信号が受信されると、情報提供サーバＤＢ６００から治療結果アンケートを読み込み(Ｓ３１０)、これをスマート通信機器２００に伝送し(Ｓ３２０)、使用者が治療後、スマート通信機器２００で治療結果ボタン及び結果入力ボタンを選択すると、スマート通信機器２００は、治療結果アンケートをディスプレーし、使用自が治療結果アンケートの回答を入力すると(Ｓ３３０)、治療結果アンケートの回答を情報提供サーバ５００に伝送し(Ｓ３４０)、情報提供サーバ５００はこれを情報提供サーバＤＢ６００に伝送して(Ｓ３５０)、情報提供サーバＤＢ６００の顧客情報に追加されて保存される(Ｓ３６０)。
【０１４９】
治療結果出力段階であって、治療結果アンケートの回答の保存段階で治療結果アンケートの回答の保存が完了し、使用者が自分の治療前後の状態を確認しようとして、使用者が結果確認ボタンを選択すると、スマート通信機器２００は、治療結果確認画面をディスプレイし、治療結果確認画面で結果を確認しようとする所定期間(例に、１週間、月、年度)の期間設定ボタンを選択すると、スマート通信機器２００は、所定期間の結果確認要請の信号を情報提供サーバ５００に伝送し(Ｓ３７０)、情報提供サーバ５００は、これを情報提供サーバＤＢ６００に伝送して(Ｓ３８０)、情報提供サーバＤＢ６００から所定期間の治療結果(すなわち、使用者の治療前後の状態)を受信して(Ｓ３９０)、スマート通信機器２００に伝送し(Ｓ４００)、スマート通信機器２００は、所定期間の治療結果をディスプレーして、疾病や症状に対する治療結果をグラフや数値に示し、週単位、月単位、年単位に示して、使用者に治療効果を確認することができるようにする(Ｓ４１０)。
【０１５０】
本発明のスマート通信機器基盤の低出力光線治療サービス提供システム及び方法についてのもっと詳細な説明は以下の実施例を通じて説明する。
【０１５１】
図９乃至図１８は、本発明によるスマート通信機器基盤の光線治療サービス提供システム及び方法を利用して生理痛を治療する実施例であって、スマート通信機器２００の画面にディスプレーされる多様な画面を示す。
【０１５２】
図９は、本発明の光線治療アプリケーションの初期画面及び登録画面を示す。
【０１５３】
図９の（ａ）は、本発明のスマート通信機器基盤の光線治療アプリケーションの初期画面７０１であって、登録ボタン７０２、治療ボタン７０３、結果確認ボタン７０４を含んでなり、これを通じて、使用者は機器番号と暗証番号を入力してログインしたり、治療ボタンまたは登録ボタンを選択することができる。
【０１５４】
登録ボタン７０２は、新規使用者が機器登録及び使用者情報を登録するようにするためのボタンであり、治療ボタン７０３は登録された使用者が光線治療を受けるために選択するボタンであり、結果確認ボタン７０４は登録された使用者が、使用者の治療前後、治療効果を確認するために選択するボタンである。すなわち、新規使用者の場合は登録ボタン７０２を選択して機器登録及び使用者情報を登録し、継続使用者の場合は治療ボタン７０３を選択して、すぐに治療を行うことができ、継続使用者の場合、使用者の治療前後を確認しようとするときは結果確認ボタン７０４を選択する。
【０１５５】
光線治療アプリケーションの画面中の下端に、クイックボタン７０５ないし７０９が位置されることができ、クイックボタン７０５ないし７０９は、ホームクイックボタン７０５、光線治療器と連結(ペアリング)する連結クイックボタン７０６、結果確認ボタン７０７、治療方法及び注意事項を確認することができる情報クイックボタン７０８及び光線治療アプリケーションを設定する環境設定クイックボタン７０９を含む。光線治療アプリケーションの初期画面７０１及び登録画面７１１の下端にもクイックボタン７０５ないし７０９を具備する。
【０１５６】
図９の（ｂ）は、本発明のスマート通信機器基盤の光線治療アプリケーションの登録画面７１１である。
【０１５７】
光線治療アプリケーションの初期画面７０１で登録ボタン７０２が選択された時、使用者の光線治療器の機器番号と暗証番号を機器番号入力窓７１２と暗証番号入力窓７１３にそれぞれ入力し、性別項目で使用者の性別に合う性別ラジオボタン７１４を選択し、年齢項目で使用者の年齢に合う年齢ラジオボタン７１５を選択し、皮膚項目で使用者の皮膚に合う皮膚色ラジオボタン７１６を選択した後、完了ボタン７１７を選択して登録を行う。例に、図９の（ｂ）では、性別項目で女のラジオボタン７１４を選択し、年齢項目で１０〜２０代のラジオボタン７１５を選択し、皮膚色項目でＢｒｏｗｎのラジオボタン７１６を選択して、すなわち、性別は”女”、年齢は”１０〜２０代”、皮膚色は”Ｂｒｏｗｎ”に設定したことを示す。
【０１５８】
図１０は、本発明の光線治療アプリケーションの疾病選択画面と症状選択画面を示す。
【０１５９】
図１０の（ａ）は、本発明のスマート通信機器基盤の光線治療アプリケーションの疾病選択画面７２１である。すなわち、図９の（ａ）の光線治療アプリケーションの初期画面７０１で治療ボタン７０３を選択することになると、疾病選択画面７２１がスマート通信機器２００にディスプレイされ、疾病選択画面７２１には様々な疾病ラジオボタン７２２が提示され、使用者はその中に一つを選択することになる。図１０の（ａ）場合は生理痛のラジオボタンを選択した場合である。この時、ひとつの疾病ラジオボタン７２２中に、光製造臨床コードが購入された疾病名と、光製造臨床コードが購入されていない疾病名は、互いに異なるように示す。すなわち、製薬臨床コードが購入された疾病名と、光製造臨床コードが購入されていない疾病名は、字の色を異なるようにしたり、字の明暗を異なるようにしたり、字の大きさを異なるようにしたりすることができる。
【０１６０】
光線治療アプリケーションの画面の下端に、逆方向の矢印ボタン７２５順方向の矢印ボタン７２６を具備して、使用者が以前の画面に戻りたいときには逆方向の矢印ボタン７２５を選択し、次の過程に進行しようとするときは順方向の矢印ボタン７２６を選択する。疾病選択画面７２１及び症状選択画面７３１の下端にも、逆方向の矢印ボタン７２５と順方向の矢印ボタン７２６を具備する。
【０１６１】
疾病選択画面７２１及び症状選択画面７３１で選択された疾病ラジオボタン７２２及び症状ラジオボタン７３２は太字(肉太活字)で表示し、選択されていない疾病ラジオボタン７２２及び症状ラジオボタン７３２は薄い灰色の文字で表示される。
【０１６２】
図１０の（ｂ）は、本発明のスマート通信機器基盤の光線治療アプリケーションの症状選択画面７３１である。すなわち、図９の（ａ）の光線治療アプリケーションの初期画面７０１で治療ボタン７０３を選択することになれば、症状選択画面７３１が、スマート通信機器２００にディスプレイされ、症状選択画面７３１には様々な症状ラジオボタン７３２が提示され、使用者はその中に一つを選択することになる。場合によって、疾病選択画面７２１と症状選択画面７３１が順次的にディスプレイすることができる。図１０の（ｂ）の場合は”生理前下腹の傷みが激しい”との症状を選択した場合である。
【０１６３】
図１１は、本発明の光線治療アプリケーションの治療方法案内画面と自己診断画面を示す。
【０１６４】
図１１の（ａ）は、本発明のスマート通信機器基盤の光線治療アプリケーションの治療方法案内画面７４１である。すなわち、治療方法案内画面７４１は光線治療器１００を利用して、使用者が選択した疾病を治療する方法を説明するための画面であって、光線治療器１００の使用方法及び注意事項を提供する治療方法の見本画面である。
【０１６５】
治療方法案内画面７４１は、疾病別の治療方法見るボタン７４２を具備し、疾病別の治療方法見るボタン７４２は、光線治療器１００で光線治療が可能な多数個の疾病名を提示し、使用者が治療方法を見ることを希望する所定の疾病名を選択するようになる。場合によっては、疾病別の治療方法見るボタン７４２に多数の疾病名を提示するが、使用者がすでに購入した光製薬臨床コードと関連した疾病名は、背景色(又は陰影)を有し、使用者は自分が購入した光製薬臨床コードと関連する病気の治療方法だけを見ることができるようになることができる。
【０１６６】
すなわち、治療方法案内画面７４１は、光線治療器１００で光線治療が可能な多数個の疾病名を提示し、使用者が疾病別の治療方法見るボタン７４２を選択して治療しようとする疾病別の使用方法及び注意事項を確認することができる。治療方法案内画面７４１では病気によって治療のための低出力光線治療器の取り付け位置、低出力光線照射の１回照射時間、１日低出力光線照射の回数、選択した疾病を治療するための平均治療期間及び取り付け時の注意事項に関する情報を絵または動画７４３で提示する。
【０１６７】
図１１の（ａ）の場合では、治療方法見るボタン７４２に生理痛、過敏性膀胱症候群、不妊、子宮内膜症、尿失禁が提示されており、そのうち、使用者が選択した生理痛が選択されて陰影処理されていることを示している。他の疾病関連光製造臨床コードは購入されなかったので選択されなく、購入すると選択可能になり、選択された疾病について光線治療器の取り付け位置及び光線治療器の使い方及び注意事項に関する情報を確認することができる。
【０１６８】
図１１の（ｂ）は、本発明のスマート通信機器基盤の光線治療アプリケーションの自己診断画面７５１である。
【０１６９】
自己診断画面７５１は、使用者が自分の疾病が治療されたかどうかを確認するために、治療前にスマート通信機器２００を通じて、自己診断アンケートにしたがって自分の病気状態(即ち、自己診断アンケートの回答)を入力するようにする画面である。ここで、自己診断アンケートは国際疾病分類コードにしたがって使用者が具備した疾病に対する標準化されたアンケートでなる。自己診断画面７５１で自己診断アンケートの内容は疾病によって変わり、上端には自己診断アンケート(質問)の番号を表示する、自己診断質問番号表示部７５２があり、自己診断アンケートの中には、選択した疾病に対する薬の服用量が含まれる。使用者は自己診断質問番号表示部７５２で、所定の数字ボタンを押して、所定の番目の自己診断アンケートを入力することができる。
【０１７０】
図１１の（ｂ）の場合、自己診断質問番号表示部７５２で、１から１０まで表示された数字ボタンを具備するが、これは総質問の個数を意味し、６の数字ボタンが選択された状態である。したがって、６番目のアンケート(Q.６)の”生理時、毎月鎮痛剤を平均的に何錠服用しますか？”がディスプレーされており、これに対する自己診断アンケートの回答は４枝選多型ボタン７５３として提示される。すなわち、図１１の（ｂ）の場合、使用者は番目のアンケート(Q.６)の”生理時、毎月鎮痛剤を平均的に何錠服用しますか？”に対する回答で、使用者が７〜９の錠というボタンを選択した場合を示す。もし選択項目がない場合、その他の入力７５５欄に自分の病状に関する内容をテキストメッシジや数字で挿入することができる。入力された自己診断答弁は有・無線情報通信網を通じて情報提供サーバ５００に伝送されて情報提供サーバＤＢ６００に伝送及び保存される。
【０１７１】
図１２は、本発明のスマート通信機器基盤の光線治療アプリケーションの治療画面７６１を示す。
【０１７２】
図１２の（ａ）の治療画面７６１は、治療を開始する前の治療画面である。初期画面７０１で治療ボタンが押され、疾病選択画面７２１と症状選択画面７３１で順次的に疾病名と症状が選択した後、ディスプレーされる画面と言える。図１２の（ａ）の治療画面７６１は治療時間表示部７６２、残りの使用可能回数表示部７６３、治療ボタン７６６、使用者設定ボタン７６７、クイックボタン７０５ないし７０９を含んでなる。
【０１７３】
治療ボタン７６６は穴居スイッチであって、治療の開始と終了を選択するスイッチである。”ＯＮ”で表示された治療ボタン７６６を選択すると治療が開始され、この時、”ＯＮ”で表示された治療ボタン７６６が”ＯＦＦ”に変更され、治療中に治療を中断したいときには”ＯＦＦ”で表示された治療ボタン７６６を選択して、光線治療を終了することができる。
【０１７４】
治療時間表示部７６２は、治療中に残った治療時間は表示する手段である。
【０１７５】
残りの使用可能回数表示部７６３は使用者が購入したすでに購入した光製造臨床コードの残っている使用可能回数を示す。使用者は、残りの使用可能回数表示部７６３を通じて、残っている使用可能回数を知ることができる。
【０１７６】
図１２の（ａ）の場合は、光線治療が開始されなかったので、現在は２０分が残っており、残りの使用可能回数が１８回であることを見せている。使用者が光製造臨床コードで光線治療器制御部分を変更しようとするときは、画面上端の使用者設定ボタン７６７を選択して光製造臨床コードを変更することができる。
【０１７７】
図１２の（ｂ）の治療画面７６１は、治療画面で使用者設定ボタン７６７を選択した場合にディスプレーされる治療画面７６１であって、使用者が必要に応じて光製造臨床コードである光線照射の強さ、光線照射の時間、光線照射のパターンをそれぞれの光線照射の強さボタン７７３、光線照射の時間ボタン７７４、光線照射のパターンボタン７７６を利用して、適当な値を選択して変更することができ、設定完了ボタン７７８を選択すると、変更事項が保存されながら、以前画面、すなわち、使用者設定ボタン７６７を押す直前の治療画面に戻ることになる。
【０１７８】
図１２の（ｃ）の治療画面７６１は、光線治療が終了した時の治療画面である。
【０１７９】
光線治療中に、治療画面７６１の治療ボタン７６６は’ＯＦＦ’を表示しており、’ＯＦＦ’で表示された治療ボタン７６６が選択されたり、設定された治療時間が経過すると、設定された光製造臨床コードが初期化され、使用者がすでに購入した使用可能回数が差し引きされる。
【０１８０】
図１２の（ｃ）では、治療時間が全部経過して、治療時間表示部７６２に数字が”００：００”になり、残りの使用可能回数表示部７６３の数字が”１７回”で表示されて、残りの治療回数が１７回であることを見せている。治療終了後には、治療結果ボタン７６８を選択する。
【０１８１】
図１３は、本発明の光線治療アプリケーションでの治療結果入力及び確認画面の一例を示す。
【０１８２】
図１３の（ａ）は、本発明の光線治療アプリケーションでの治療結果メイン画面７８１であって、治療画面７６１で、光線治療が終了されて治療結果ボタン７６８を選択した場合にディスプレーされる画面である。
【０１８３】
治療結果メイン画面７８１には、使用者のカレンダー７８２、結果入力ボタン７８５、結果確認ボタン７８６を含んでなる。
【０１８４】
治療結果メイン画面７８１に使用者のカレンダー７８２がディスプレーされるが、今日の日付と、今日以前の日付の中で治療をしなかった日付と、今日以前の日付の中で治療をした日付が、互い区別されるように表示される。例えば、使用者のカレンダー７８２では、今日の日付は実線の円内に位置され、今日以前の日付の中で治療をしなかった日付は点線の円内に位置され、今日以前の日付の中で治療をした日付には、内部に背景色を有する実線の円内に位置される。
【０１８５】
図１３の（ａ）の場合、２０１６年３月１日は使用者が治療を実施した日付であって、背景に陰影を有する円が表示されており、３月２日は治療を実施していなかったので点線の円で表示されており、３月３日は今日の日付で実線の円で表示されたことを示す。
【０１８６】
結果入力ボタン７８５は、使用者が今日治療した結果を入力したいとき選択するボタンである。
【０１８７】
結果確認ボタン７８６は、使用者が治療結果履歴を確認しようとするとき、選択するボタンである。
【０１８８】
図１３の（ｂ）は、治療結果メイン画面７８１で結果入力ボタン７８５を選択したとき、ディスプレーされる治療結果入力画面７９１である。
【０１８９】
治療結果入力画面７９１は、グラフ、文字、数字中の一つまたは一つ以上で表現された治療結果入力道具７９２を利用して、治療結果を入力するようになっている。
【０１９０】
図１３の（ｂ）の場合は水平になる棒グラフを利用して、治療結果状態の大きさだけ使用者が選択して治療結果を入力するようになっている。そして、その入力された結果は保存ボタン７９５を押すと、有・無線情報通信網を通じて情報提供サーバ５００に伝送されて、顧客情報ＤＢ７００に伝送及び保存される。以前の段階に戻りたいときには、後に行きボタン７９３を選択して帰ることができる。
【０１９１】
図１３の（ｃ）は、本発明の光線治療アプリケーションでの治療結果画面８１０を示す。
【０１９２】
治療結果画面８１０は、治療結果の入力が完了されたり、初期画面７０１で結果確認ボタン７０４が選択されたり、治療結果メイン画面７８１で結果確認ボタン７８６が選択されると、ディスプレイされる画面である。治療結果画面８１０は、期間設定ボタン８１１、グラフ８１２、確認ボタン８１６を含む。
【０１９３】
治療結果画面８１０の期間設定ボタン８１１で、１週間、月、年度の一つを選択することにより、治療結果を週単位、月単位、年単位で治療結果を確認することができる。
【０１９４】
グラフ８１２は、期間設定ボタン８１１によって入力された期間中の間、自己診断画面７５１を通じる自己診断アンケートの回答または治療結果画面８１０を通じる治療結果アンケートの回答を、数値または統計で示す。グラフ８１２示した指標８１５は、グラフ８１２の下端に文字、数字、記号中に一つまたは一つ以上を使用して表現する。これらの指標は自己診断アンケート紙または治療診斷アンケート紙を通じて行われた質問で作ることができる。
【０１９５】
確認ボタン８１６は、治療結果確認が完了したときに使用者が選択するボタンである。
【０１９６】
図１４は、本発明の疾病選択画面７２１で、選択された疾病関連の光製造臨床コードを具備していない場合の一例である。
【０１９７】
疾病選択画面７２１で、使用者が光製造臨床コードを購入した疾病名の表示と、使用者が光製造臨床コードを購入しない疾病名の表示を文字体、色、下線などで、互いに区別されるように表示する。例えば、光製造臨床コードを購入した疾病名を肉太活字または黒の文字体で表示し、光製造臨床コードを購入しない疾病名の表示一般の文字体または灰色の文字体で表示することができる。
【０１９８】
疾病選択画面７２１で、使用者が選択した疾病関連の光製造臨床コードが、使用者が購入しないので、保有(具備)していない状態であれば、疾病選択画面７２１に購入案内ポップアップ(Pop-up)窓７２７がディスプレーされる。購入案内ポップアップウィンドウ７２７には使用者が選択した疾病関連の光製造臨床コードを保有していないことを通知し、購入可否(購入するか)を選択させる。
【０１９９】
図１４の場合は、生理痛の光製造臨床コードをすでに購入した使用者が、尿失禁を治療しようとして、疾病選択画面７２１で”尿失禁”を選択した場合であって、ポップアップウィンドウ７２７には”購入が必要な治療です。購入しますか？”がディスプレーすることと同時に”はい”ボタンと”いいえ”ボタンのうち、一つを選択するようになっている。したがって、使用者は購入を願うときに”はい”ボタンを選択し、もし、”いいえ”ボタンを選択することになると、現在使用中の疾病選択画面または症状選択画面に戻ることになる。
【０２００】
図１５は、本発明の光線治療のアプリケーションで、光製造臨床コードを購入したり、追加に使用可能回数を購入する時に提示される購買画面７７１の一例である。これは購入画面７７１の疾病項目７７２に使用者が選択した疾病名が表示され、回数選択項目７７５で、選択した疾病の光製薬臨床コードを使用して治療する回数、すなわち、光製薬臨床コードの使用可能回数を選択し購入するボタン７７７を選択して購入する。
【０２０１】
図１５の場合は、疾病項目７７２で使用者が購入しようとする光製薬臨床コードの関連疾病は”尿失禁”であり、回数選択項目７７５で使用者が選択した光製薬臨床コードの使用可能回数は”２０回：４週”である。
【０２０２】
もし、使用者が追加に光製薬臨床コードの使用可能回数をさらに購入したい場合には、購入画面７７１で、疾病項目７７２に、回数を追加購入しようとする光製薬臨床コードの疾病名を選択または入力し、必要な回数を選択して購入することができる。
【０２０３】
画面で購入内訳を確認し、購入ボタン７７７が選択されると、通常的に金融機関で運用する金融決済サーバまたはモバイル決済サービス(例えば、グーグルペイ、三星ペイ、カカオペイ、ネイバーペイ、ペイコ、ＳＳＧペイ、Ｌペイ、アップルペイ、アリペイ)と連動して行うことになる。
【０２０４】
図１６は、本発明の光線治療アプリケーションで、光製薬臨床コードを追加に購入した場合の疾病選択画面、光製薬臨床コードの使用可能回数が消尽された場合の疾病選択画面と治療画面の一例を示す。
【０２０５】
図１６の（ａ）は、光線治療アプリケーションで他の疾病の光製薬臨床コードを追加に購入した時の疾病選択画面７２１の例を示す。図１６の（ａ）の場合では、’生理痛’の光製薬臨床コードだけでなく、’尿失禁’の光製薬臨床コードも使用者が購入した場合であって、疾病選択画面７２１で、’生理痛’と’尿失禁’の文字色及び大きさは、光製薬臨床コードを購入しない’喘息’、’痛み’、’浮腫’などに比べて、異なる大きさ、異なる色を有する。
【０２０６】
図１６の（ｂ）は、光線治療アプリケーションで光製薬臨床コードの使用可能回数が消尽された場合の疾病選択画面７２１の例を示す。使用者が購入した疾病の光製薬臨床コードの使用可能回数が消耗されると、たとえ購入した疾病でも、追加にに使用可能回数の購入を要請する画面がポップアップウィンドウ７２７で提示される。購入を願うとき、ポップアップウィンドウ７２７で”はい”スイッチ(すなわち、購入決定を示すスイッチ)を選択し、使用可能回数購入は図１５のような、購入画面７７１で購入することができる。購入を希望しない場合、”いいえ”スイッチを選択することになり、この場合は、治療しようとする疾病選択画面または症状選択画面に戻ることになる。
【０２０７】
図１６の（ｃ）は、光線治療アプリケーションの治療画面７６１で光線治療を実施する途中に、光製薬臨床コードの使用可能回数が消尽した場合の治療画面７６１の例を示す。初期画面７０１で治療ボタン７０３を選択すると、図１０の(a)のような治療画面が提示され、残りの回数が”００”よりも大きな数で表示されるが、光製薬臨床コードの使用可能回数が消尽して、治療画面７６１で、残りの回数が”００”と表示されている場合、使用自が治療画面でＯＮボタン７６６を選択すると、光製薬臨床コードの使用可能回数の追加購入を要請するポップアップウィンドウ７６９がディスプレーされる。光製薬臨床コードの使用可能回数の追加購入は、購入画面７７１で行われる。
【０２０８】
図１７は、本発明の光線治療アプリケーションでクイックメニューのポップアップウィンドウ、連結画面、情報出力画面の例を示す。
【０２０９】
図１７の（ａ）は、光線治療アプリケーションでクイックメニューのポップアップウィンドウ７１９の例を示す。すなわち、光線治療アプリケーションの上端に位置されたクイックメニュー選択ボタン７１８を選択すると、光線治療アプリケーションの下端に位置されたクイックボタン７０５ないし７０９に対するクイックメニューのポップアップウィンドウ７１９がディスプレーされる。図１７の（ａ）の場合では、ホーム、連結すること、治療結果、情報、設定のクイックメニューがディスプレーされた。
【０２１０】
図１７の（ｂ）は、光線治療アプリケーションでクイックメニューを利用した無線連結をする時の連結画面である。クイックメニューのポップアップウィンドウ７１９で’連結する’ボタンを選択したり、連結するクイックボタン７０６を選択した場合に、連結する画面６５０がディスプレーされる。図１７の（ｂ）の連結する画面６５０の上端には連結表示(より詳しくは無線機器連結表示)６５２が表示され、スマート通信機器２００と無線型の光線治療器１００が絵または動画で連結される映像６５１が中間にディスプレイされ、連結ボタン６５５を選択すると、スマート通信機器２００と光線治療器１００が連結される。
【０２１１】
図１７の（ｃ）は、光線治療アプリケーションで情報出力画面７４１の例を示す。クイックメニューのポップアップウィンドウ７１９で'情報'ボタンを選択したり、情報クイックボタン７０８を選択した場合に、現在治療中の疾病に対する治療方法と注意事項の情報がディスプレーされ、使用者はこれを通じて確認することができる。情報出力画面７４１は情報提供表示が表示され、図１１の治療方法案内画面７４１のような内容がディスプレーされる。情報出力画面７４１は使用者が自己診断後、治療方法と注意事項を確認する煩わしさなしに、すぐ病気による治療方法と注意事項を見ることができ、上端には光線治療器で治療が可能な疾病名が提示され、疾病名を選択すると、選択された疾病名は陰影処理され、治療方法と注意事項が絵または動画で提示される。図１７の（ｃ）の場合は、光線治療器で治療が可能な疾病を生理痛、過敏性膀胱症候群、不妊、子宮内膜症および尿失禁などで疾病選択ボタン７４２が提示され、その中で生理痛が選択されて、それに対する治療方法及び注意事項についての説明を示している。情報出力画面７４１の下端には治療方法と付着方法が絵７４３で提示される。
【０２１２】
図１８は、本発明の光線治療アプリケーションで環境設定画面の例を示す。環境設定画面６７０、６７１、６７２の上端には設定表示６７５が表示される。
【０２１３】
図１８の（ａ）は、光線治療アプリケーションで環境設定メイン画面６７０の例を示す。クイックメニューのポップアップウィンドウ７１９で’設定’ボタンを選択したり、環境設定クイックボタン７０９を選択した場合に、環境設定メイン画面６７０が出力される。環境設定メイン画面６７０には使用者の光線治療機器の登録情報６７３が出力され、環境設定部６７６を具備する。環境設定部６７６には、アラーム設定選択ボタンと、治療結果入力のオン／オフボタンと、治療結果確認のオン／オフボタン、情報ボタンを具備する。治療結果入力のオン／オフボタンと治療結果確認のオン／オフボタンは、使用者の選択によって、治療結果入力画面の出力、治療結果確認画面の出力をオン／オフ(on/off)する。図１８の（ａ）の場合に、光線治療機器の登録情報６７３で、使用者の光線治療器の機器番号は１５６８５であり、登録された日は２０１５.１２.２４.日であり、治療結果入力、治療結果確認はすべてＯＮになっている。以前画面に戻りたいときには逆方向の矢印７２５を選択し、次の過程へ進行しようとするときは順方向の矢印７２６を選択する。
【０２１４】
図１８の（ｂ）は、環境設定画面中、アラーム設定画面６７１の例を示す。環境設定メイン画面６７０の環境設定部６７６でアラーム設定選択ボタンを選択した場合にアラーム設定画面６７１がディスプレーされる。アラーム設定画面６７１は、アラーム設定オン／オフボタン、アラーム方法選択ボタン、アラーム時間設定部６７９、選択ボタン６７７を具備する。アラーム設定オン／オフボタンは、アラーム設定をするかしないかによって、オン又はオフを選択するようになり、アラーム方法選択ボタンは、アラームを、ベル音、振動、ベル音と振動の両方のうち、一つを選択するようになる。アラーム時間設定部６７９で、使用者が治療する希望する時間、すなわち、アラーム時間を選択ボタン６７７を利用して選択するようになり、このように選択されたアラーム時間は選択時間窓６８１にディスプレーされる。図１８の（ｂ）の場合では、アラーム設定をＯＮと選択し、アラーム方法はベル音とし、アラーム時間は午前８時１１分である。
【０２１５】
図１８の（ｃ）は、環境設定画面中、システム情報画面６７２の例を示す。環境設定メイン画面６７０の環境設定部６７６で情報(又はシステム情報)選択ボタンを選択した場合にシステム情報画面６７２がディスプレーされる。システム情報画面６７２では設置された光線治療アプリケーションのバージョン情報、利用約款、保安などを含む光線治療サービス提供システムの情報６７８を出力する。図１８の（ｃ）の場合に、光線治療アプリケーションのバージョン情報は１.０であり、アップデートの日付は２０１５.０９.０８.である。利用約款と保安に関する内容は通常的にモバイルアプリケーションサービスに関連した内容であって、実施例を説明しなくても、この技術分野の通常の技術者水準として容易に理解し多様に具現することができることである。したがって、その実施例を説明しなくても、この技術分野の通常の技術者水準として容易に理解し多様に具現することができることである。
【０２１６】
図１９は、本発明の光線治療サービス提供システム及び方法の情報提供サーバＤＢに保存された情報を説明するための光線治療器の機器番号別の情報リストの例である。
【０２１７】
情報提供サーバＤＢ６００には機器番号(すなわち、光線治療器の機器番号)、登録日、治療疾病、性別、年齢、皮膚色、治療回数(すなわち、購入時の光製造臨床コードの使用可能回数)及び残っている回数(すなわち、残っている光製造臨床コードの使用可能回数)を保存している。すなわち、情報提供サーバＤＢ６００は、光線治療器の機器番号別に、使用者の個人情報、光製造臨床コードの使用可能回数などを保存している。図１９の光線治療器の機器番号別の情報リストは、管理者が情報提供サーバ５００のモニターを通じて確認したり、使用者がスマート通信機器２００を通じて確認することができる。場合によって、スマート通信機器２００には使用者本人の光線治療器の機器番号による、使用者の個人情報、光製造臨床コードの使用可能回数だけを確認するようになることもできる。
【０２１８】
図２０は、本発明の光線治療サービス提供システムの情報提供サーバＤＢと連動した治療履歴画面である。すなわち、図２０は、図１９の光線治療器の機器番号別の情報リストで、所定の光線治療器の機器番号を選択した場合に提示される治療履歴画面である。治療履歴確認のため、カレンダー６８２が提示され治療した日６８３は背景が特定色を有したり、陰影処理された円内に表示され、治療しない日は点線の円内に表示され、今日は実線の円内に表示される。治療履歴を確認後、確認ボタン６８５を選択すると、図１９の機器番号別の情報リスト画面に戻る。
【０２１９】
本発明によるスマート通信機器基盤の光線治療サービス提供システム及び方法は本明細書でいちいち図面を利用して詳細に記述していないが、スマート通信機器に低出力光線治療器を有線または無線で連結して低出力光線治療が可能な病気は非常に多い。例えば、本発明のスマート通信機器基盤の光線治療サービス提供システムと方法は首と肩の痛み治療器、関節炎治療器、アルツハイマー治療器、脳卒中治療器、偏頭痛治療器、憂鬱症治療器、狭心症治療器、喘息治療器、慢性閉鎖性肺疾患(COPD)治療器、胃炎や胃潰瘍治療器、尿失禁の治療器、前立腺の治療器、不妊治療器、月経前症候群(PMＳ)治療器、浮腫治療器、鼻炎治療器などに適用できる。
【０２２０】
以上では、本発明を特定の望ましい実施例について図示し説明したが、本発明は記述した実施例のみに限定されず、本発明が属する技術分野の通常の知識を有する者であれば、多様に変更実施することができる。
【産業上の利用可能性】
【０２２１】
本発明によるスマート通信機器基盤の光線治療サービス提供システム及び方法は、首と肩の痛み治療器、関節炎治療器、アルツハイマー治療器、脳卒中治療器、偏頭痛治療器、憂鬱症治療器、狭心症治療器、喘息治療器、慢性閉鎖性肺疾患(COPD)治療器、胃炎や胃潰瘍治療器、尿失禁の治療器、前立腺の治療器、不妊治療器、月経前症候群(PMS)治療器、浮腫治療器、鼻炎治療器などに適用できる。
【図１】
2019520091.tif 000003
【図２】
2019520091.tif 000004
【図３】
2019520091.tif 000005
【図４】
2019520091.tif 000006
【図５】
2019520091.tif 000007
【図６】
2019520091.tif 000008
【図７】
2019520091.tif 000009
【図８】
2019520091.tif 000010
【図９】
2019520091.tif 000011
【図１０】
2019520091.tif 000012
【図１１】
2019520091.tif 000013
【図１２】
2019520091.tif 000014
【図１３】
2019520091.tif 000015
【図１４】
2019520091.tif 000016
【図１５】
2019520091.tif 000017
【図１６】
2019520091.tif 000018
【図１７】
2019520091.tif 000019
【図１８】
2019520091.tif 000020
【図１９】
2019520091.tif 000021
【図２０】
2019520091.tif 000022
【国際調査報告】
2019520091.tif 000023
2019520091.tif 000024
2019520091.tif 000025
2019520091.tif 000026